(57)【要約】【課題】ソースアップリンク／ダウンリンク構成からターゲットアップリンク／ダウンリンク構成に再構成される時に通信システム内で通信する移動局を制御する集積回路に関する。【解決手段】本発明は、ダウンリンク制御情報（ＤＣＩ）送信に応答して、サブフレームＮ−６を含むサブフレームＮ−６までに受信されたＤＣＩ送信に関係するＰＵＳＣＨ送信にはソースアップリンク／ダウンリンク構成を適用し、サブフレームＮ−５〜Ｎ−１の間に受信されたＤＣＩ送信に関係するＰＵＳＣＨ送信には、事前定義されたアップリンク／ダウンリンク構成を適用し、サブフレームＮ以降に受信されたＤＣＩ送信に関係するＰＵＳＣＨ送信にはターゲットアップリンク／ダウンリンク構成を適用する、ようにＰＵＳＣＨ送信を行う。【選択図】図１１
2018125861.tif 000002
【特許請求の範囲】
【請求項１】
通信システム内で基地局と通信する移動局を制御する集積回路であって、前記通信は、ソースアップリンク／ダウンリンク構成からターゲットアップリンク／ダウンリンク構成に再構成され、
前記ソースアップリンク／ダウンリンク構成は、複数のアップリンク／ダウンリンク構成のサブセットのうちの１つであり、前記ターゲットアップリンク／ダウンリンク構成は、前記複数のアップリンク／ダウンリンク構成のうちの１つであり、前記複数のアップリンク／ダウンリンク構成は、時分割複信（ＴＤＤ）通信のためにあらかじめ設定されており、
無線フレームの先頭にある所定のサブフレームＮについて前記通信を再構成する場合、前記移動局は、ダウンリンク制御情報（ＤＣＩ）送信に応答して、
サブフレームＮ−６を含むサブフレームＮ−６までに受信されたＤＣＩ送信に関係する物理アップリンク共有チャネル（ＰＵＳＣＨ）送信には前記ソースアップリンク／ダウンリンク構成を適用し、
サブフレームＮ−５〜Ｎ−１の間に受信されたＤＣＩ送信に関係するＰＵＳＣＨ送信には事前定義されたアップリンク／ダウンリンク構成を適用し、
サブフレームＮ以降に受信されたＤＣＩ送信に関係するＰＵＳＣＨ送信には前記ターゲットアップリンク／ダウンリンク構成を適用する、
ようにＰＵＳＣＨ送信を行い、
前記事前定義されたアップリンク／ダウンリンク構成は、前記複数のアップリンク／ダウンリンク構成のうちの１つである、
集積回路。
【請求項２】
前記事前定義されたアップリンク／ダウンリンク構成が、前記ソースアップリンク／ダウンリンク構成とは異なる、
請求項１に記載の集積回路。
【請求項３】
前記複数のアップリンク／ダウンリンク構成が、アップリンク／ダウンリンク構成０〜６であり、
前記サブセットは、前記アップリンク／ダウンリンク構成１〜６の少なくとも１つを含み、
前記事前定義されたアップリンク／ダウンリンク構成が、アップリンク／ダウンリンク構成６である、
請求項１または２に記載の集積回路。
【請求項４】
通信システム内で基地局と通信する移動局を制御する集積回路であって、前記通信は、ソースアップリンク／ダウンリンク構成からターゲットアップリンク／ダウンリンク構成に再構成され、
前記ソースアップリンク／ダウンリンク構成は、複数のアップリンク／ダウンリンク構成のうち事前定義された１つであり、前記ターゲットアップリンク／ダウンリンク構成は、前記複数のアップリンク／ダウンリンク構成のうちの１つであり、前記複数のアップリンク／ダウンリンク構成は、時分割複信（ＴＤＤ）通信のためにあらかじめ設定されており、
無線フレームの先頭にある所定のサブフレームＮについて前記通信を再構成する場合、前記移動局は、ダウンリンク制御情報（ＤＣＩ）送信に応答して、
サブフレームＮ−１を含むサブフレームＮ−１までに受信されたＤＣＩ送信に関係する物理アップリンク共有チャネル（ＰＵＳＣＨ）送信には前記ソースアップリンク／ダウンリンク構成を適用し、
サブフレームＮ以降に受信されたＤＣＩ送信に関係するＰＵＳＣＨ送信には前記ターゲットアップリンク／ダウンリンク構成を適用する、
ようにＰＵＳＣＨ送信を行う、
集積回路。
【請求項５】
前記複数のアップリンク／ダウンリンク構成が、アップリンク／ダウンリンク構成０〜６であり、
前記ソースアップリンク／ダウンリンク構成が、アップリンク／ダウンリンク構成０である、
請求項４に記載の集積回路。
【請求項６】
前記複数のアップリンク／ダウンリンク構成がそれぞれ、前記ＤＣＩ送信とそれに対応するＰＵＳＣＨ送信との間のタイミングオフセットを決定する、
請求項１〜５のいずれか一項に記載の集積回路。
【請求項７】
前記ソースアップリンク／ダウンリンク構成は、サブフレームＮ−１を含むサブフレームＮ−１までの各サブフレームがダウンリンク送信のためのダウンリンクサブフレームか、アップリンク送信のためのアップリンクサブフレームか、または、前記ダウンリンク送信と前記アップリンク送信の両方をサポートする特殊サブフレームか、を示し、
前記ターゲットアップリンク／ダウンリンク構成は、サブフレームＮ以降の各サブフレームが、前記ダウンリンクサブフレームか、前記アップリンクサブフレームか、または、前記特殊サブフレームか、を示す、
請求項１〜６のいずれか一項に記載の集積回路。
【請求項８】
移動局と基地局の間の通信を再構成すべきことを知らせる情報が前記通信システム内で配布され、かつ、前記情報がサブフレームＮ−１４以降から、サブフレームＮ−５を含むサブフレームＮ−５までの間隔内に配布される場合、前記情報の配布により、前記所定のサブフレームＮについて前記通信が再構成され、Ｎは無線フレームの先頭にあるサブフレームである、
請求項１〜７のいずれか一項に記載の集積回路。
【請求項９】
前記移動局が、物理ダウンリンク共有チャネル（ＰＤＳＣＨ）送信に応答して、
サブフレームＮ−１を含むサブフレームＮ−１までのハイブリッドＡＲＱ−ＡＣＫ送信には前記ソースアップリンク／ダウンリンク構成を適用し、
サブフレームＮ〜Ｎ＋１２の間のハイブリッドＡＲＱ−ＡＣＫ送信には、別の事前定義されたアップリンク／ダウンリンク構成を適用し、
サブフレームＮ＋１３以降のハイブリッドＡＲＱ−ＡＣＫ送信には前記ターゲットアップリンク／ダウンリンク構成を適用する、
ようにハイブリッドＡＲＱ−ＡＣＫ送信を行い、
前記別の事前定義されたアップリンク／ダウンリンク構成は、前記複数のアップリンク／ダウンリンク構成のうちの１つである、
請求項１〜８のいずれか一項に記載の集積回路。
【請求項１０】
前記別の事前定義されたアップリンク／ダウンリンク構成が、前記ターゲットアップリンク／ダウンリンク構成とは異なる、
請求項９に記載の集積回路。
【請求項１１】
前記別の事前定義されたアップリンク／ダウンリンク構成が、アップリンク／ダウンリンク構成５である、
請求項９または１０に記載の集積回路。
【請求項１２】
前記複数のアップリンク／ダウンリンク構成のうちどれがサブフレームＮ〜Ｎ＋１２の間のハイブリッドＡＲＱ−ＡＣＫ送信に適用される前記別の事前定義されたアップリンク／ダウンリンク構成に対応するかを示す情報が、前記通信システム内で配布される、
請求項９〜１１のいずれか一項に記載の集積回路。
【請求項１３】
前記複数のアップリンク／ダウンリンク構成がそれぞれ、前記ＰＤＳＣＨ送信とそれに対応するハイブリッドＡＲＱ−ＡＣＫ送信との間のタイミングオフセットを決定する、
請求項９〜１２のいずれか一項に記載の集積回路。
【請求項１４】
物理ダウンリンク共有チャネル（ＰＤＳＣＨ）送信に応答して、
前記ソースアップリンク／ダウンリンク構成が適用される場合で、そのソースアップリンク／ダウンリンク構成が、サブフレームＮ−１を含むサブフレームＮ−１までのハイブリッドＡＲＱ−ＡＣＫ送信を規定し、前記ハイブリッドＡＲＱ−ＡＣＫ送信が前記ＰＤＳＣＨ送信に関係する場合、および、
前記別の事前定義されたアップリンク／ダウンリンク構成が適用される場合で、その別の事前定義されたアップリンク／ダウンリンク構成が、サブフレームＮ〜Ｎ＋１２の間のハイブリッドＡＲＱ−ＡＣＫ送信を規定し、前記ハイブリッドＡＲＱ−ＡＣＫ送信が前記ＰＤＳＣＨ送信に関係する場合には、
前記移動局は、サブフレームＮ−１を含むサブフレームＮ−１までの前記ハイブリッドＡＲＱ−ＡＣＫ送信のみを行うか、あるいは、前記移動局はサブフレームＮ〜Ｎ＋１２の間の前記ハイブリッドＡＲＱ−ＡＣＫ送信のみを行う、
請求項９〜１３のいずれか一項に記載の集積回路。
【請求項１５】
前記別の事前定義されたアップリンク／ダウンリンク構成が適用され、かつ、その別の事前定義されたアップリンク／ダウンリンク構成が、アップリンク送信のみをサポートするように設定された少なくとも１つのサブフレームについてサブフレームＮ〜Ｎ＋１２の間のハイブリッドＡＲＱ−ＡＣＫ送信を規定し、前記少なくとも１つのサブフレームが、サブフレームＮ−１１からサブフレームＮ−１を含むサブフレームＮ−１までの間隔内にある場合、
前記移動局は、サブフレームＮ〜Ｎ＋１２の間は、ダウンリンク送信をサポートするように設定されたサブフレームのみに関係するハイブリッドＡＲＱ−ＡＣＫ送信を行うか、あるいは、前記移動局は、前記少なくとも１つのサブフレームがアップリンク送信のみをサポートしＰＤＳＣＨ送信に関係しないことを知らせる、アップリンク送信のみをサポートするように設定された前記少なくとも１つのサブフレームについての事前定義された情報を含むハイブリッドＡＲＱ−ＡＣＫ送信を行う、
請求項９〜１４のいずれか一項に記載の集積回路。
【発明の詳細な説明】
【技術分野】
【０００１】
本発明は、フレキシブルなＴＤＤアップリンク／ダウンリンク構成に基づく移動局を制御する集積回路に関する。
【背景技術】
【０００２】
ロングタームエボリューション（ＬＴＥ）
【０００３】
ＷＣＤＭＡ（登録商標）無線アクセス技術をベースとする第３世代の移動通信システム（３Ｇ）は、世界中で広範な規模で配備されつつある。この技術を機能強化または発展・進化させる上での最初のステップとして、高速ダウンリンクパケットアクセス（ＨＳＤＰＡ）と、エンハンストアップリンク（高速アップリンクパケットアクセス（ＨＳＵＰＡ）とも称する）とが導入され、これにより、極めて競争力の高い無線アクセス技術が提供されている。
【０００４】
ユーザからのますます増大する需要に対応し、新しい無線アクセス技術に対する競争力を確保する目的で、３ＧＰＰは、ロングタームエボリューション（ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。
【０００５】
ＬＴＥ（ロングタームエボリューション）に関する作業項目（ＷＩ）の仕様は、Ｅ−ＵＴＲＡ（Evolved UMTS Terrestrial Radio Access（ＵＴＲＡ）：進化したＵＭＴＳ地上無線アクセス）およびＥ−ＵＴＲＡＮ（Evolved UMTS Terrestrial Radio Access Network（ＵＴＲＡＮ）：進化したＵＭＴＳ地上無線アクセスネットワーク）と称され、最終的にリリース８（ＬＴＥリリース８）として公開される。ＬＴＥシステムは、パケットベースの効率的な無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、スケーラブルな複数の送信帯域幅（例えば、１.４ＭＨｚ、３.０ＭＨｚ、５.０ＭＨｚ、１０.０ＭＨｚ、１５.０ＭＨｚ、および２０.０ＭＨｚ）が指定されている。ダウンリンクには、ＯＦＤＭ（Orthogonal Frequency Division Multiplexing：直交周波数分割多重）をベースとする無線アクセスが採用されている。なぜなら、かかる無線アクセスは、低いシンボルレートのため本質的にマルチパス干渉（ＭＰＩ）を受けにくく、また、サイクリックプレフィックス（ＣＰ）を使用しており、さらに、さまざまな送信帯域幅の構成に対応可能だからである。アップリンクには、ＳＣ−ＦＤＭＡ（Single-Carrier Frequency Division Multiple Access：シングルキャリア周波数分割多元接続）をベースとする無線アクセスが採用されている。なぜなら、ユーザ機器（ＵＥ）の送信出力が限られていることを考えれば、ピークデータレートを向上させるよりも広いカバレッジエリアを提供することが優先されるからである。ＬＴＥリリース８／９では、数多くの主要なパケット無線アクセス技術（例えば、ＭＩＭＯ（多入力多出力）チャネル伝送技術）が採用され、高効率の制御シグナリング構造が達成されている。
【０００６】
ＬＴＥのアーキテクチャ
【０００７】
図１は、ＬＴＥの全体的なアーキテクチャを示し、図２は、Ｅ−ＵＴＲＡＮのアーキテクチャをより詳細に示している。Ｅ−ＵＴＲＡＮは、ｅＮｏｄｅＢから構成され、ｅＮｏｄｅＢは、ＵＥ向けの、Ｅ−ＵＴＲＡのユーザプレーン（ＰＤＣＰ／ＲＬＣ／ＭＡＣ／ＰＨＹ）および制御プレーン（ＲＲＣ）のプロトコルを終端処理する。ｅＮｏｄｅＢ（ｅＮＢ）は、物理（ＰＨＹ）レイヤ、メディアアクセス制御（ＭＡＣ）レイヤ、無線リンク制御（ＲＬＣ）レイヤ、およびパケットデータ制御プロトコル（ＰＤＣＰ）レイヤ（これらのレイヤはユーザプレーンのヘッダ圧縮および暗号化の機能を含む）をホストする。ｅＮＢは、制御プレーンに対応する無線リソース制御（ＲＲＣ）機能も提供する。ｅＮＢは、無線リソース管理、アドミッション制御、スケジューリング、交渉によるアップリンクＱｏＳ（サービス品質）の実施、セル情報のブロードキャスト、ユーザプレーンデータおよび制御プレーンデータの暗号化／復号化、ダウンリンク／アップリンクのユーザプレーンパケットヘッダの圧縮／復元など、多くの機能を実行する。複数のｅＮｏｄｅＢは、Ｘ２インタフェースによって互いに接続されている。
【０００８】
また、複数のｅＮｏｄｅＢは、Ｓ１インタフェースによってＥＰＣ（Evolved Packet Core：進化したパケットコア）、より具体的には、Ｓ１−ＭＭＥによってＭＭＥ（Mobility Management Entity：移動管理エンティティ）、Ｓ１−Ｕによってサービングゲートウェイ（ＳＧＷ：Serving Gateway）に接続されている。Ｓ１インタフェースは、ＭＭＥ／サービングゲートウェイとｅＮｏｄｅＢとの間の多対多関係をサポートする。ＳＧＷは、ユーザデータパケットをルーティングして転送する一方で、ｅＮｏｄｅＢ間のハンドオーバー時におけるユーザプレーンのモビリティアンカーとして機能し、さらに、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えばＩＰベアラサービスのパラメータ、ネットワーク内部ルーティング情報）を管理および格納する。さらに、ＳＧＷは、合法傍受（lawful interception）の場合にユーザトラフィックの複製を実行する。
【０００９】
ＭＭＥは、ＬＴＥのアクセスネットワークの主要な制御ノードである。ＭＭＥは、アイドルモードのユーザ機器の追跡およびページング手順（再送信を含む）の役割を担う。ＭＭＥは、ベアラの有効化／無効化プロセスに関与し、さらには、最初のアタッチ時と、コアネットワーク（ＣＮ）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス層（ＮＡＳ：Non-Access Stratum）シグナリングはＭＭＥにおいて終端され、ＭＭＥは、一時的なＩＤを生成してユーザ機器に割り当てる役割も担う。ＭＭＥは、サービスプロバイダの公衆陸上移動網（ＰＬＭＮ：Public Land Mobile Network）に入るためのユーザ機器の認証をチェックし、ユーザ機器のローミング制約を実施する。ＭＭＥは、ＮＡＳシグナリングの暗号化／整合性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするユーザ機器のためのホームＨＳＳに向かうＳ６ａインタフェースを終端させる。
【００１０】
ＬＴＥ（リリース８）におけるコンポーネントキャリアの構造
【００１１】
３ＧＰＰ  ＬＴＥ（リリース８以降）のダウンリンクコンポーネントキャリアは、時間−周波数領域において、いわゆるサブフレームに分割されている。３ＧＰＰ  ＬＴＥ（リリース８以降）では、図３に示したように、各サブフレームが２つのダウンリンクスロットに分割されており、第１のダウンリンクスロットは、最初のいくつかのＯＦＤＭシンボルにおける制御チャネル領域（ＰＤＣＣＨ領域）を含んでいる。各サブフレームは、時間領域における特定の数のＯＦＤＭシンボルからなり（３ＧＰＰ  ＬＴＥ（リリース８以降）では１２個または１４個のＯＦＤＭシンボル）、ＯＦＤＭシンボルそれぞれが、コンポーネントキャリアの帯域幅全体を範囲としている。したがって、ＯＦＤＭシンボルそれぞれは、図４にも示したように、ＮＤＬＲＢ×ＮＲＢｓｃ個のそれぞれのサブキャリア上で送信される複数の変調シンボルからなる。
【００１２】
例えば、３ＧＰＰ  ＬＴＥ（ロングタームエボリューション）において使用される、例えばＯＦＤＭを採用するマルチキャリア通信システムを考えると、スケジューラによって割り当てることのできるリソースの最小単位は、１つの「リソースブロック」である。物理リソースブロック（ＰＲＢ）は、図４に例示的に示したように、時間領域におけるＮＤＬｓｙｍｂ個の連続するＯＦＤＭシンボル（例：７個のＯＦＤＭシンボル）と、周波数領域におけるＮＲＢｓｃ個の連続するサブキャリアとして定義される（例：コンポーネントキャリアの１２のサブキャリア）。したがって、３ＧＰＰ  ＬＴＥ（リリース８）においては、物理リソースブロックは、ＮＤＬｓｙｍｂ×ＮＲＢｓｃ個のリソース要素からなり、時間領域における１スロットと、周波数領域における１８０ｋＨｚに対応する（ダウンリンクリソースグリッドに関するさらなる詳細については、例えば非特許文献１の６.２節を参照）（３ＧＰＰのウェブサイトにおいて入手可能であり、参照によって本明細書に組み込まれている）。
【００１３】
１つのサブフレームは２つのスロットからなり、したがって、いわゆる「通常の」ＣＰ（サイクリックプレフィックス）が使用されているときにはサブフレームに１４個のＯＦＤＭシンボルが存在し、いわゆる「拡張」ＣＰが使用されているときにはサブフレームに１２個のＯＦＤＭシンボルが存在する。専門用語として、以下では、サブフレーム全体にわたる、同一のＮＲＢｓｃ個の連続するサブキャリアに等しい時間−周波数リソースを、「リソースブロックペア」、または同じ意味で「ＲＢペア」または「ＰＲＢペア」と称する。
【００１４】
用語「コンポーネントキャリア」は、周波数領域におけるいくつかのリソースブロックの組合せを意味する。ＬＴＥの今後のリリースにおいて、「コンポーネントキャリア」という用語はもはや使用されない。代わりに、この用語は「セル」に変更される。「セル」は、ダウンリンクリソースおよび任意でアップリンクリソースの組合せを意味する。ダウンリンクリソースのキャリア周波数とアップリンクリソースのキャリア周波数との連結（linking）は、ダウンリンクリソースで送信されるシステム情報に示される。
【００１５】
コンポーネントキャリアの構造の同様の想定は、以降のリリースにも適用される。
【００１６】
論理チャネルおよびトランスポートチャネル
【００１７】
ＭＡＣ層は、論理チャネルを通じてＲＬＣ層にデータ伝送サービスを提供する。論理チャネルは、ＲＲＣシグナリングなどの制御データを伝える制御論理チャネルか、ユーザプレーンデータを伝えるトラフィック論理チャネルのいずれかである。ブロードキャスト制御チャネル（ＢＣＣＨ）、ページング制御チャネル（ＰＣＣＨ）、共通制御チャネル（ＣＣＣＨ）、マルチキャスト制御チャネル（ＭＣＣＨ）、および専用制御チャネル（ＤＣＣＨ）は、制御論理チャネルである。専用トラフィックチャネル（ＤＴＣＨ）およびマルチキャストトラフィックチャネル（ＭＴＣＨ）は、トラフィック論理チャネルである。
【００１８】
ＭＡＣ層からのデータは、トランスポートチャネルを通じて物理層と交換される。データは、無線送信方式に応じてトランスポートチャネルに多重化される。トランスポートチャネルは、次のようにダウンリンクまたはアップリンクとして分類される。ブロードキャストチャネル（ＢＣＨ）、ダウンリンク共有チャネル（ＤＬ−ＳＣＨ）、ページングチャネル（ＰＣＨ）、およびマルチキャストチャネル（ＭＣＨ）は、ダウンリンクトランスポートチャネルであるのに対して、アップリンク共有チャネル（ＵＬ−ＳＣＨ）およびランダムアクセスチャネル（ＲＡＣＨ）は、アップリンクトランスポートチャネルである。
【００１９】
ダウンリンクおよびアップリンクそれぞれにおいて、論理チャネルとトランスポートチャネルの間で多重化が実行される。
【００２０】
第１層／第２層（Ｌ１／Ｌ２）制御シグナリング
【００２１】
スケジューリング対象のユーザに、ユーザの割当てステータス、トランスポートフォーマット、およびその他のデータ関連情報（例：ＨＡＲＱ情報、送信電力制御（ＴＰＣ）コマンド）を知らせる目的で、第１層／第２層制御シグナリングがデータと一緒にダウンリンクで送信される。第１層／第２層制御シグナリングは、サブフレーム内でダウンリンクデータと一緒に多重化される（ユーザ割当てがサブフレーム単位で変化しうるものと想定する）。なお、ユーザ割当てをＴＴＩ（送信時間間隔）ベースで実行することもでき、その場合、ＴＴＩ長はサブフレームの倍数であることに留意されたい。ＴＴＩ長は、サービスエリアにおいてすべてのユーザに対して一定とする、ユーザ毎に異なる、あるいはユーザ毎に動的とすることもできる。第１層／第２層制御シグナリングは、一般的にはＴＴＩあたり１回送信するのみでよい。一般性を失うことなく、以下では、ＴＴＩが１サブフレームに等しいものと想定する。
【００２２】
第１層／第２層制御シグナリングは、物理ダウンリンク制御チャネル（ＰＤＣＣＨ）で送信される。ＰＤＣＣＨは、ダウンリンク制御情報（ＤＣＩ）としてメッセージを伝え、このメッセージには、ほとんどの場合、移動端末またはユーザ機器のグループのリソース割当て情報およびその他の制御情報が含まれる。一般的には、いくつかのＰＤＣＣＨを１つのサブフレーム内で送信することができる。
【００２３】
なお、３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。
【００２４】
一般に、アップリンクまたはダウンリンクの無線リソースを割り当てるための第１層／第２層制御シグナリングで送られる情報（特にＬＴＥ（−Ａ）リリース１０）は、以下の項目に分類することができる。
−  ユーザＩＤ。割当て対象のユーザを示す。これは、一般には、ＣＲＣをユーザＩＤでマスクすることによってチェックサムに含められる。
−  リソース割当て情報。ユーザが割り当てられるリソース（リソースブロック（ＲＢ））を示す。ユーザが割り当てられるＲＢの数は動的でありうることに留意されたい。
−  キャリアインジケータ。第１のキャリアで送信される制御チャネルが、第２のキャリアに関係するリソース、すなわち第２のキャリアにあるリソースまたは第２のキャリアに関連するリソースを割り当てる場合に使用される。
−  用いられる変調方式および符号化率を決定する変調および符号化方式。
−  データパケットまたはその一部を再送信する際に特に有用であるニューデータインジケータ（ＮＤＩ）や冗長バージョン（ＲＶ）などのＨＡＲＱ情報。
−  割り当てられたアップリンクデータや制御情報の送信の送信電力を調整する電力制御コマンド。
−  適用されるサイクリックシフトや直交カバーコードインデックスなどの基準信号情報。割当てに関係する基準信号の送信または受信に用いられる。
−  割当ての順序を識別するために使用されるアップリンクまたはダウンリンク割当てインデックス。ＴＤＤシステムで特に有用である。
−  ホッピング情報。例えば、周波数ダイバーシチを増大させるためにリソースホッピングを適用するかどうか、およびどのように適用するかを示す。
−  ＣＳＩ要求。割り当てられたリソースにおけるチャネル状態情報の送信をトリガーするために使用される。
−  マルチクラスタ情報。送信が１つのクラスタ（ＲＢの連続したセット）で行われるか、複数のクラスタ（連続したＲＢの少なくとも２つの非連続的なセット）で行われるかを示し、制御するために使用されるフラグ。マルチクラスタの割当ては、３ＧＰＰ  ＬＴＥ−（Ａ）リリース１０から導入されている。
【００２５】
上記の列記は完全なものではなく、使用されるＤＣＩフォーマットによっては、上記の情報項目のすべてが各ＰＤＣＣＨ送信に存在する必要はないことに留意されたい。
【００２６】
ダウンリンク制御情報は、全体のサイズおよびそのフィールドに含まれる情報が異なる、いくつかのフォーマットで行われる。ＬＴＥにおいて現在定義されている種々のＤＣＩフォーマットは以下のとおりであり、非特許文献２（３ＧＰＰのウェブサイトにおいて入手可能であり、参照によって本明細書に組み込まれている）の５.３.３.１節に詳しく記載されている。ＤＣＩフォーマットと、ＤＣＩにおいて送信される具体的な情報に関するさらなる詳細については、技術規格、または非特許文献３（参照によって本明細書に組み込まれている）の９.３章を参照されたい。
【００２７】
フォーマット０：ＤＣＩフォーマット０は、アップリンク送信モード１または２で単一アンテナポート送信を使用するＰＵＳＣＨのリソースグラントを送信するために使用される。
【００２８】
フォーマット１：ＤＣＩフォーマット１は、単一符号語ＰＤＳＣＨ送信（ダウンリンク送信モード１、２、および７）のためのリソース割当てを送信するために使用される。
【００２９】
フォーマット１Ａ：ＤＣＩフォーマット１Ａは、単一符号語ＰＤＳＣＨ送信のためのリソース割当てをコンパクトにシグナリングし、競合のないランダムアクセスのために移動端末に専用のプリアンブル署名を割り当てるために使用される。
【００３０】
フォーマット１Ｂ：ＤＣＩフォーマット１Ｂは、ランク１送信（ダウンリンク送信モード６）で閉ループのプリコーディングを使用するＰＤＳＣＨ送信のためのリソース割当てをコンパクトにシグナリングするために使用される。送信される情報はフォーマット１Ａと同じであるが、ＰＤＳＣＨ送信に適用されるプリコーディングベクトルのインジケータが付加される。
【００３１】
フォーマット１Ｃ：ＤＣＩフォーマット１Ｃは、ＰＤＳＣＨ割当てを非常にコンパクトに送信するために使用される。フォーマット１Ｃが使用されるとき、ＰＤＳＣＨ送信はＱＰＳＫ変調の使用に制限される。例えば、ページングメッセージやブロードキャストシステム情報メッセージをシグナリングするために使用される。
【００３２】
フォーマット１Ｄ：ＤＣＩフォーマット１Ｄは、マルチユーザＭＩＭＯを使用するＰＤＳＣＨ送信のためのリソース割当てをコンパクトにシグナリングするために使用される。送信される情報はフォーマット１Ｂと同じであるが、プリコーディングベクトルインジケータのビットのうち１ビットに代えて、データシンボルに電力オフセットが適用されるかどうかを示す１ビットがある。この機能は、送信電力が２つのＵＥの間で共有されるか否かを示す必要がある。将来のバージョンのＬＴＥでは、これを、より多くのＵＥ間で電力を共有する場合に合わせて拡張する可能性がある。
【００３３】
フォーマット２：ＤＣＩフォーマット２は、閉ループのＭＩＭＯ動作のためのＰＤＳＣＨのリソース割当てを送信するために使用される。
【００３４】
フォーマット２Ａ：ＤＣＩフォーマット２Ａは、開ループのＭＩＭＯ動作のためのＰＤＳＣＨのリソース割当てを送信するために使用される。送信される情報はフォーマット２と同じであるが、ｅＮｏｄｅＢが２つの送信アンテナポートを備える場合にはプリコーディング情報がなく、４つのアンテナポートがある場合には２ビットを使用して送信ランクを示す点が異なる。
【００３５】
フォーマット２Ｂ：リリース９で導入され、二層のビーム形成のためにＰＤＳＣＨのリソース割当てを送信するために使用される。
【００３６】
フォーマット２Ｃ：リリース１０で導入され、最大８層の閉ループの単一ユーザまたは複数ユーザのＭＩＭＯ動作のためにＰＤＳＣＨのリソース割当てを送信するために使用される。
【００３７】
フォーマット２Ｄ：リリース１１で導入され、最大で８層の送信に使用され、主としてＣＯＭＰ（Cooperative Multipoint）に使用される。
【００３８】
フォーマット３および３Ａ：ＤＣＩフォーマット３および３Ａは、それぞれ２ビットまたは１ビットの電力調整値を含むＰＵＣＣＨおよびＰＵＳＣＨの電力制御コマンドを送信するために使用される。これらのＤＣＩフォーマットは、ＵＥのグループに対する個々の電力制御コマンドを含んでいる。
【００３９】
フォーマット４：ＤＣＩフォーマット４は、アップリンク送信モード２の閉ループ空間多重化送信を使用して、ＰＵＳＣＨをスケジューリングするために使用される。
【００４０】
次の表に、利用可能なＤＣＩフォーマットのいくつかの概要と典型的なビット数を示すが、ここでは説明のためにｅＮｏｄｅＢに５０ＲＢのシステム帯域幅と４つのアンテナがあると想定する。右の列に示されるビット数は、特定のＤＣＩのＣＲＣに関するビットを含む。
【００４１】
【表１】
2018125861.tif 000003
【００４２】
ＵＥがＰＤＣＣＨ送信を正しく受信したかどうかを識別することができるように、各ＰＤＣＣＨ（すなわちＤＣＩ）の末尾に付加された１６ビットのＣＲＣを使用して誤りの検出が提供される。さらに、ＵＥが、自機を対象とするＰＤＣＣＨを識別できることが必要である。これは、理論的には、ＰＤＣＣＨペイロードに識別子を付加することによって実現することができるが、「ＵＥ  ＩＤ」でＣＲＣをスクランブルする方が効率的であり、追加のオーバーヘッドを節減できることが分かっている。ＣＲＣは、非特許文献２の５.３.３.２節「CRC attachment」で詳しく定義されるように計算してスクランブルすることができ、同文献は参照によって本明細書に組み込まれている。同節では、巡回冗長検査（ＣＲＣ）を通じてＤＣＩ送信に誤りの検出が提供される方式を説明している。その簡単な要約を以下に示す。
【００４３】
ペイロード全体を使用してＣＲＣのパリティービットを計算する。そのパリティービットを算出し、付加する。ＵＥの送信アンテナ選択が設定されていない場合、または適用できない場合には、付加後に、対応するＲＮＴＩでＣＲＣパリティービットをスクランブルする。
【００４４】
スクランブリングはさらに、非特許文献２から明らかであるように、ＵＥの送信アンテナの選択に依存する可能性がある。ＵＥの送信アンテナ選択が設定されており、適用可能な場合は、付加後に、アンテナ選択マスクおよびそれに対応するＲＮＴＩでＣＲＣパリティービットをスクランブルする。どちらの場合もＲＮＴＩがスクランブル動作に関与することから、説明の簡潔のために、また一般性を失うことなく、以下の実施形態の説明では、単に、ＣＲＣがＲＮＴＩでスクランブル（および該当する場合はスクランブル解除）されると言い、したがって、そのような記述に関わらず、ＲＮＴＩは、例えばアンテナ選択マスクなど、スクランブルプロセスにおけるさらに他の要素と理解すべきである。
【００４５】
それに対応して、ＵＥは「ＵＥ  ＩＤ」を適用することによってＣＲＣのスクランブルを解除し、ＣＲＣ誤りが検出されない場合は、ＵＥは、ＰＤＣＣＨが自機を対象とするその制御情報を伝えていると判断する。上記のＣＲＣをＩＤでスクランブルするプロセスでは、「マスク」および「マスク解除」の術語も使用される。
【００４６】
ＤＣＩのＣＲＣをスクランブルできる上述の「ＵＥ  ＩＤ」には、ＳＩ−ＲＮＴＩ（システム情報無線ネットワーク一時識別子（System Information Radio Network Temporary Identifier））を用いることもできるが、ＳＩ−ＲＮＴＩはそれ自体は「ＵＥ  ＩＤ」ではなく、示され送信される情報、この場合はシステム情報のタイプに関連付けられた識別子である。ＳＩ−ＲＮＴＩは、通常、仕様中で固定され、そのためすべてのＵＥに事前に知られている。
【００４７】
異なる目的に使用されるさまざまなタイプのＲＮＴＩがある。次の表は、非特許文献４の７.１章からとったものであり、さまざまな１６ビットＲＮＴＩとそれらの使用法の概要を示す。
【００４８】
【表２】
2018125861.tif 000004
【００４９】
物理ダウンリンク制御チャネル（ＰＤＣＣＨ）と物理ダウンリンク共有チャネル（ＰＤＳＣＨ）
【００５０】
物理ダウンリンク制御チャネル（ＰＤＣＣＨ）は、例えば、ダウンリンクまたはアップリンクでデータを送信するためのリソースを割り当てるスケジューリンググラントを伝える。１つのサブフレームで複数のＰＤＣＣＨを送信することができる。
【００５１】
ユーザ機器へのＰＤＣＣＨは、サブフレームの中の最初のＮＰＤＣＣＨｓｙｍｂ個のＯＦＤＭシンボル（通常では１個、２個、または３個のＯＦＤＭシンボル（ＰＣＦＩＣＨによって示される）、例外的なケースでは２個、３個、または４個のＯＦＤＭシンボル（ＰＣＦＩＣＨによって示される））で送信され、ＯＦＤＭシンボルはシステム帯域幅全体にわたり延びている。システム帯域幅は、一般にはセルまたはコンポーネントキャリアの範囲に等しい。時間領域における最初のＮＰＤＣＣＨｓｙｍｂ個のＯＦＤＭシンボルと、周波数領域におけるＮＤＬＲＢ×ＮＲＢｓｃ本のサブキャリアとによって占有される領域は、ＰＤＣＣＨ領域または制御チャネル領域とも称される。周波数領域におけるＮＤＬＲＢ×ＮＲＢｓｃ本のサブキャリアにわたる、時間領域における残りのＮＰＤＳＣＨｓｙｍｂ＝２＊ＮＤＬｓｙｍｂ−ＮＰＤＣＣＨｓｙｍｂ個のＯＦＤＭシンボルは、ＰＤＳＣＨ領域または共有チャネル領域と称される（後述する）。
【００５２】
物理ダウンリンク共有チャネル（ＰＤＳＣＨ）に関するダウンリンクグラント（すなわちリソース割当て）において、ＰＤＣＣＨは、同じサブフレーム内の（ユーザ）データのためのＰＤＳＣＨリソースを割り当てる。サブフレーム内のＰＤＣＣＨ制御チャネル領域は、一連のＣＣＥからなり、サブフレームの制御領域におけるＣＣＥの総数は、時間−周波数制御リソース全体にわたり分散している。制御チャネルの符号化率を効果的に低減するため、複数のＣＣＥを組み合わせることができる。ＣＣＥは、さまざまな符号化率を達成するためツリー構造を使用する所定の方法において組み合わされる。
【００５３】
トランスポートチャネルのレベルにおいては、ＰＤＣＣＨを介して送信される情報は、第１層／第２層制御シグナリングとも呼ばれる（詳細については上記の第１層／第２層制御シグナリングを参照されたい）。
【００５４】
あるサブフレームで受信されるアップリンクリソース割当てと、それに対応するＰＵＳＣＨのアップリンク送信との間には、事前定義された特定のタイミング関係が存在する。詳細は、非特許文献５の８.０章「UE procedure for transmitting the physical uplink shared channel」で得ることができ、同文献は参照によって本明細書に組み込まれている。
【００５５】
特に、図７に再現される非特許文献５の表８−２は、ＴＤＤ構成０〜６についてパラメータｋを定義し、ｋは、サブフレームで受信されるアップリンクリソース割当ての対象の正のオフセットを示す。ＴＤＤ構成０については、アップリンクサブフレーム３および８についてタイミングの追加の定義があるが、ここでは簡潔のために省略する。例えば、パラメータｋはＴＤＤ構成１のサブフレーム１では６であり、これは、ＴＤＤ構成１のサブフレーム１で受信されるアップリンクリソースの割当てがＴＤＤ構成１のサブフレーム１＋６＝７を対象とすることを意味し、サブフレーム７は実際にアップリンクサブフレームなどである。
【００５６】
ハイブリッドＡＲＱ方式
【００５７】
パケット送信システムで信頼性の低いチャネルの誤り検出および訂正に広く使用される技術は、ハイブリッド自動再送要求（ＨＡＲＱ：Hybrid Automatic Repeat request）と呼ばれる。ハイブリッドＡＲＱは、順方向誤り訂正（ＦＥＣ：Forward Error Correction）とＡＲＱを組み合わせたものである。
【００５８】
ＦＥＣで符号化されたパケットが送信され、受信器がパケットを正確に復号することができない場合（誤りは通例ＣＲＣ（Cyclic Redundancy Check：巡回冗長検査）で検査される）、受信器はパケットの再送信を要求する。一般に（また本文書を通じて）、追加の情報の送信は「（パケットの）再送信」と呼ばれるが、この再送信は必ずしも同じ符号化情報を送信することを意味せず、当該パケットに属する情報（例えば追加の冗長情報）の送信を意味する場合もある。
【００５９】
送信を構成する情報（一般にはコードビット／シンボル）に応じて、かつ受信器がどのように情報を処理するかに応じて、以下のハイブリッドＡＲＱ方式が定義される。
【００６０】
Ｔｙｐｅ  Ｉ  ＨＡＲＱ方式では、受信器が正しくパケットを復号することができない場合、符号化パケットの情報は破棄され、再送信が要求される。これは、すべての送信が個１復号されることを意味する。一般に、再送信は、最初の送信と全く同じ情報（コードビット／シンボル）を含む。
【００６１】
Ｔｙｐｅ  ＩＩ  ＨＡＲＱ方式では、受信器が正しくパケットを復号することができない場合には再送信が要求され、受信器は、（誤りを伴って受信された）符号化パケットの情報をソフト情報（ソフトビット／シンボル）として記憶する。これは、受信器でソフトバッファが必要になることを意味する。先に行われた送信と同じパケットに従って、再送信は、全く同じ情報、一部同じ情報、または同じでない情報（コードビット／シンボル）からなる可能性がある。再送信を受信すると、受信器は、ソフトバッファに記憶されている情報と、今回受信した情報とを組み合わせ、組み合わせた情報に基づいてパケットの復号を試みる。（受信器は、送信を個々に復号することを試みることもできるが、一般には送信を組み合わせると性能が向上する。）送信を組み合わせることはいわゆる「ソフト合成（soft-combining）」と呼ばれ、複数で受信されたコードビット／シンボルは尤度合成され、単独で受信されたコードビット／シンボルは符号合成される。一般に使用されるソフト合成の方法は、受信された変調シンボルの最大比合成（ＭＲＣ：Maximum Ratio Combining）および対数尤度比（ＬＬＲ：log-likelihood-ratio）合成である（ＬＬＲ合成はコードビットにのみ有効である）。
【００６２】
Ｔｙｐｅ  ＩＩ方式は、パケットを正しく受信する確率が受信される再送信ごとに増加するため、Ｔｙｐｅ  Ｉ方式よりも高性能である。この増加は、受信器でハイブリッドＡＲＱ用のソフトバッファを必要とすることと引き換えに得られる。この方式を使用して、再送信される情報の量を制御することにより、動的なリンク適合を行うことができる。例えば、受信器が複号が「ほぼ」成功したと検出した場合、受信器は次の再送信で小さな情報（前の送信よりも少ない数のコードビット／シンボル）だけを送信するように要求することができる。この場合は、この再送信自体を検討することだけでは、理論的にはパケットを正しく復号できない可能性もある（自己復号不可能な再送信）。
【００６３】
Ｔｙｐｅ  ＩＩＩ  ＨＡＲＱ方式は、Ｔｙｐｅ  ＩＩ方式のサブセットと考えることができる。Ｔｙｐｅ  ＩＩ方式の要件に加えて、Ｔｙｐｅ  ＩＩＩ方式の各送信は自己復号が可能でなければならない。
【００６４】
同期ＨＡＲＱは、ＨＡＲＱブロックの再送信が、事前定義された周期的な間隔で行われることを意味する。したがって、受信器に再送信のスケジュールを知らせるための明示的なシグナリングは必要ない。
【００６５】
非同期ＨＡＲＱは、エアインタフェース条件に基づいて再送信をスケジューリングする際の柔軟性をもたらす。この場合は、正しい合成とプロトコル動作を可能にするために、ＨＡＲＱプロセスの何らかの識別をシグナリングする必要がある。３ＧＰＰ  ＬＴＥシステムでは、８つのプロセスを伴うＨＡＲＱ動作が使用される。ダウンリンクデータを送信するためのＨＡＲＱプロトコル動作は、ＨＳＤＰＡと同様であるか、ＨＳＤＰＡと全く同じになることもある。
【００６６】
アップリンクのＨＡＲＱプロトコル動作では、再送信のスケジュール方法に２つの異なる選択肢がある。再送信は、ＮＡＣＫで「スケジュール」される（同期非適応型再送信とも呼ばれる）か、またはＰＤＣＣＨを送信することによりネットワークによって明示的にスケジュールされる（同期適応型再送信とも呼ばれる）かのいずれか１つである。同期非適応型再送信の場合、再送信では前回のアップリンク送信と同じパラメータを使用する。すなわち、再送信は、同じ物理チャネルリソースでシグナリングされ、それぞれ同じ変調方式／トランスポートフォーマットを使用する。
【００６７】
同期適応型再送信はＰＤＣＣＨを介して明示的にスケジュールされるので、ｅＮｏｄｅＢが再送信のために特定のパラメータを変更することが可能である。再送信は、例えば、アップリンクにおける断片化を避けるために異なる周波数リソースでスケジューリングすることも可能であり、またはｅＮｏｄｅＢが変調方式を変更するか、あるいは再送信に使用する冗長バージョンをユーザ機器に知らせることもできる。ＨＡＲＱフィードバック（ＡＣＫ／ＮＡＣＫ）とＰＤＣＣＨシグナリングは同じタイミングで行われることに留意されたい。したがって、ユーザ機器は、同期非適応型再送信がトリガーされるかどうか（すなわちＮＡＣＫだけが受信されるかどうか）、またはｅＮｏｄｅＢが同期適応型再送信を要求しているか（すなわちＰＤＣＣＨがシグナリングされるか）どうかを一度だけ確認すればよい。
【００６８】
ＴＤＤ動作のためのＨＡＲＱおよび制御シグナリング
【００６９】
上記で説明したように、ＨＡＲＱでダウンリンクまたはアップリンクデータを送信する際には、受信通知（ＡＣＫまたは否定ＡＣＫ）を反対方向に送って、パケットの受信が成功したか失敗したかを送信側に通知する必要がある。
【００７０】
ＦＤＤ動作の場合は、サブフレームｎにおけるデータ送信に関連する受信通知インジケータが、サブフレームｎ＋４の時に反対方向に送信され、トランスポートが送信される瞬間と、それに対応する受信通知との間に一対一の同期したマッピングが存在する。一方、ＴＤＤ動作の場合は、サブフレームは、アップリンクもしくはダウンリンクまたは特殊としてセルごとに指定され（次の章を参照されたい）、それにより、リソースグラント、データ送信、受信通知、および再送信を各自の方向に送ることができる時間を制限する。したがって、ＴＤＤのＬＴＥ設計は、１つのサブフレームで複数の受信通知を伝えるためのグループ化されたＡＣＫ／ＮＡＣＫの送信をサポートしている。
【００７１】
アップリンクのＨＡＲＱでは、物理ハイブリッドＡＲＱインジケータチャネル（ＰＨＩＣＨ：Physical Hybrid ARQ Indicator CHannel）で複数の受信通知を（１つのダウンリンクサブフレームで）送ることは問題とならない。なぜなら、ｅＮｏｄｅＢから見ると、これは１つの受信通知が複数のＵＥに同時に送られる場合と大きく違わないためである。しかしながら、ダウンリンクのＨＡＲＱでは、非対称性がダウンリンクの方に偏っている場合、ＦＤＤのアップリンクの制御シグナリング（ＰＵＣＣＨ）フォーマットでは、追加のＡＣＫ／ＮＡＣＫ情報を伝えるのに不十分である。ＬＴＥにおけるＴＤＤサブフレーム構成（下記および図５を参照されたい）はそれぞれ、ＨＡＲＱのためにダウンリンクサブフレームとアップリンクサブフレームとの間で事前定義された独自のそのようなマッピングを有し、このマッピングは、受信通知の遅延をできる限り小さくすることと、利用可能なアップリンクサブフレームにＡＣＫ／ＮＡＣＫを均等に分配することとの間のバランスを実現するように設計されている。さらなる詳細が非特許文献５の７.３章に提供され、参照によって本明細書に組み込まれている。
【００７２】
参照によって本明細書に組み込まれている非特許文献５の１０.１.３章で、ＴＤＤのＨＡＲＱ−ＡＣＫフィードバック手順が説明される。
【００７３】
図６に再現される非特許文献５の表１０.１.３−１は、無線フレームのサブフレームについてのＡＣＫ／ＮＡＣＫ／ＤＴＸ応答のダウンリンクの対応関係セットのインデックスを示し、ＴＤＤ構成に対応する枠の中の数は、そのサブフレームのＨＡＲＱフィードバックが伝送されるサブフレームの負のオフセットを示す。例えば、ＴＤＤ構成０のサブフレーム９はサブフレーム９−４＝５のＨＡＲＱフィードバックを伝送し、ＴＤＤ構成０のサブフレーム５は実際にダウンリンクサブフレームである（図５参照）。
【００７４】
ＨＡＲＱ動作では、ｅＮＢは、再送信時に元のＴＢとは異なる符号化バージョンを送信することができ、そのため、ＵＥは増分冗長（ＩＲ：incremental redundancy）合成［８］を用いて、合成の利得に加えて追加の符号化の利得を得ることができる。しかしながら、現実のシステムでは、ｅＮＢが１つのリソースセグメントで１つの特定のＵＥにＴＢを送信するが、ＤＬ制御情報が失われたためにＵＥがデータ送信を検出できない可能性がある。その場合には、体系的なデータをＵＥで入手できていないため、ＩＲ合成では、再送信を復号する性能が非常に低くなる。この問題を緩和するために、ＵＥは、第３の状態、すなわち不連続送信（ＤＴＸ：discontinuous transmission）フィードバックをフィードバックして、関連付けられたリソースセグメントでＴＢが検出されないことを知らせるべきである（これは復号の失敗を知らせるＮＡＣＫとは異なる）。
【００７５】
時分割複信：ＴＤＤ
【００７６】
ＬＴＥは、ＴＤ−ＳＣＤＭＡ（時分割同期符号分割多重アクセス）の進化もサポートするように設計されている統一フレームワーク（harmonized framework）における周波数分割複信（ＦＤＤ）モードおよび時分割複信（ＴＤＤ）モードで動作することができる。ＴＤＤでは、時間領域においてアップリンク送信とダウンリンク送信が分離されるが、周波数は同じままである。
【００７７】
用語「複信」は、２つの装置の間の双方向通信を意味し、一方向通信と区別される。双方向の場合、各方向におけるリンクを通じての送信を、同時に（全二重）または交替して（半二重）行うことができる。
【００７８】
非ペア無線スペクトル（unpaired radio spectrum）におけるＴＤＤの場合、リソースブロックおよびリソース要素の基本的な構造は図４に示してあるが、無線フレームのサブフレームのサブセットのみがダウンリンク送信に利用可能である。残りのサブフレームは、アップリンク送信に使用される、または、特殊サブフレームに使用される。特殊サブフレームは、アップリンク送信のタイミングを進めて、各ＵＥから送信される信号（すなわちアップリンク）がほぼ同時にｅＮｏｄｅＢに到達することを確実にするために重要である。信号の伝播遅延は送信器と受信器の間の距離に関係するため（反射および他の同様の影響は無視する）、これは、ｅＮｏｄｅＢの近くにあるＵＥから送信された信号は、ｅＮｏｄｅＢから遠いＵＥから送信された信号よりも移動時間が短いことを意味する。同時に到着するためには、遠いＵＥは、近いＵＥよりも早く信号を送信しなければならず、これは、３ＧＰＰシステムのいわゆる「タイミング前進」手順によって解決される。
【００７９】
ＴＤＤでは、その結果、送信と受信が同じキャリア周波数で行われる、すなわちダウンリンクとアップリンクを時間領域で二重化する必要があるという追加の状況が生じる。ｅＮｏｄｅＢから遠いＵＥは近いＵＥよりも早くアップリンク送信を開始する必要があるが、逆に、ダウンリンクの信号は遠いＵＥよりも近いＵＥの方に早く受信される。回路をＤＬ受信からＵＬ送信に切り替えることができるように、特殊サブフレーム内にガード時間が定義される。タイミング前進問題にさらに対処するために、遠いＵＥのガード時間は、近いＵＥよりも長くする必要がある。
【００８０】
３ＧＰＰ  ＬＴＥリリース８以降においては、このＴＤＤ構造は「フレーム構造タイプ２」として公知であり、７つの異なるアップリンク−ダウンリンク構成が定義されており、これらの構成により、さまざまなダウンリンク−アップリンク比率および切り替え周期が可能である。図５は、７つの異なるＴＤＤアップリンク−ダウンリンク構成（番号：０〜６）の表を示し、表中、「Ｄ」はダウンリンクサブフレームを意味し、「Ｕ」はアップリンクサブフレームを意味し、「Ｓ」は特殊サブフレームを意味するものとする。表から理解できるように、７つの利用可能なＴＤＤアップリンク−ダウンリンク構成は、ダウンリンクサブフレームの４０％〜９０％を提供することができる（特殊サブフレームの一部分はダウンリンク送信に利用できるため、簡潔のために特殊サブフレームをダウンリンクサブフレームとみなした場合）。
【００８１】
図５は、特に、５ｍｓの切替え点周期性（すなわちＴＤＤ構成０，１，２，６）の場合のフレーム構造タイプ２を示している。
【００８２】
図８は、長さ１０ｍｓである無線フレームと、それぞれ５ｍｓの対応する２つのハーフフレームとを示している。無線フレームは、それぞれ１ｍｓの１０個のサブフレームから構成されており、サブフレームそれぞれには、図５の表によるアップリンク−ダウンリンク構成の１つで定義されているように、アップリンク、ダウンリンク、または特殊の各タイプが割り当てられている。
【００８３】
図５から理解できるように、サブフレーム＃１はつねに特殊サブフレームであり、サブフレーム＃６は、ＴＤＤ構成０，１，２，６の場合には特殊サブフレームであり、ＴＤＤ構成３，４，５の場合にはダウンリンクサブフレームである。特殊サブフレームは、３つのフィールドとして、ＤｗＰＴＳ（ダウンリンクパイロットタイムスロット）、ＧＰ（ガード期間）、およびＵｐＰＴＳ（アップリンクパイロットタイムスロット）を含む。次の表は、特殊サブフレームに関する情報を示しており、特に、３ＧＰＰ  ＬＴＥリリース１１において定義されているサンプル時間Ｔｓ＝（１／３０７２０）ｍｓの倍数として、ＤｗＰＴＳ（ダウンリンクパイロットタイムスロット）、ＧＰ（ガード期間）、およびＵｐＰＴＳ（アップリンクパイロットタイムスロット）それぞれの長さを示してある。
【００８４】
【表３】
2018125861.tif 000005
【００８５】
システムにおいて適用されるＴＤＤ構成は、移動局および基地局において実行される数多くの動作、例えば、無線リソース管理（ＲＲＭ）測定、チャネル状態情報（ＣＳＩ）測定、チャネル推定、ＰＤＣＣＨ検出、ＨＡＲＱタイミングなどに影響する。
【００８６】
特に、ユーザ機器は、システム情報を読み取ることで、自身の現在のセルにおけるＴＤＤ構成に関して認識し、すなわち、測定用に監視するサブフレーム、ＣＳＩの測定および報告のために監視するサブフレーム、チャネル推定を取得するための時間領域フィルタリングのために監視するサブフレーム、ＰＤＣＣＨの検出のために監視するサブフレーム、またはＵＬ／ＤＬ  ＡＣＫ／ＮＡＣＫフィードバックのために監視するサブフレームを認識する。
【００８７】
現在の半静的なＴＤＤアップリンク／ダウンリンク構成方式の欠点
【００８８】
ＵＬ−ＤＬ割当てを適合させるための現在のメカニズムは、システム情報取得手順またはシステム情報変更手順に基づいており、ＳＩＢ、この場合は具体的にはＳＩＢ１におけるＴＤＤ構成パラメータによって、特定のＵＬ−ＤＬ  ＴＤＤ構成が示される（システム情報のブロードキャストの詳細については非特許文献６の８.１.１節を参照されたい。同文献は参照によって本明細書に組み込まれている）。
【００８９】
ＬＴＥリリース８で指定されるシステム情報変更手順では、ＴＤＤ  ＵＬ／ＤＬ再構成のためのサポートされる時間スケールは、毎６４０ｍｓ以上である。ＥＴＷＳ（地震津波警報システム）を再利用すると、ＵＬ−ＤＬ  ＴＤＤ再構成のためのサポートされる時間スケールは、設定されているデフォルトのページングサイクルに応じて毎３２０ｍｓ以上である。
【００９０】
それでも、ＴＤＤ  ＵＬ／ＤＬ構成の半静的割当ては、瞬間的なトラフィック状況を反映することもあれば、しないこともある。アップリンク優位のトラフィック状況からダウンリンク優位のトラフィック状況に急速に変化する場合には、システム情報変更手順は動的なＴＤＤ  ＵＬ／ＤＬ再構成には時間がかかり過ぎる。そのため、半静的なＴＤＤ  ＵＬ／ＤＬ再構成は、瞬間的なトラフィック状況に関しては、サブフレームの利用を最大にするには時間がかかり過ぎる。
【００９１】
これに関して、動的なＴＤＤ  ＵＬ／ＤＬ再構成がＬＴＥリリース１２との関連で広く検討されている。動的なＴＤＤ  ＵＬ／ＤＬ再構成は、ＴＤＤ  ＵＬ／ＤＬ構成を現在のトラフィック需要に適合させることが期待され、例えば、アップリンクまたはダウンリンクの通信や隣接セルとの通信への干渉を緩和するために、より多くのダウンリンクサブフレームを動的に生成してダウンリンク帯域幅を増すことや、より多くの空白のアップリンクサブフレームを動的に生成することが期待される。
【００９２】
特に、ＬＴＥリリース１２では、動的なＴＤＤ  ＵＬ／ＤＬ再構成のための明示的なシグナリングをサポートする見込みである。そのために、さまざまなシグナリングメカニズムが現在検討されている。そのようなシグナリングメカニズムは、通信システム内でＴＤＤ  ＵＬ／ＤＬ再構成についての情報を瞬間的に配布することを可能にし、また移動局／基地局が遅延なくＴＤＤ  ＵＬ／ＤＬ構成を再構成できるようにする。
【００９３】
現在用いられているＲＲＣシグナリングのメカニズムでは、動的なＴＤＤ  ＵＬ／ＤＬ再構成の需要を満たすために必要とされる短いＴＤＤ  ＵＬ／ＤＬ再構成間隔を保証できないことが判明している。この点で、ＤＣＩシグナリングメカニズムが定義されて動的なＴＤＤ  ＵＬ／ＤＬ再構成を可能にすることが現在期待されている。再構成は、少なくとも１つの無線フレーム（すなわち１０ｍｓ）にわたり有効であることが想定される。
【００９４】
上記で定義したシステム制約があるために、動的なＴＤＤ  ＵＬ／ＤＬ再構成は、ＴＤＤ構成それぞれに定義されるＤＣＩとＰＵＳＣＨの間のタイミング関係だけでなく、ＰＤＳＣＨとＨＡＲＱ−ＡＣＫの間のタイミング関係間の不一致を克服しなければならない。
【００９５】
すでに説明したように、ＴＤＤ構成０〜６それぞれには、ＤＣＩフォーマット０／４メッセージにおけるアップリンクのリソース割当て（例えばＵＬグラント）と、それに対応するアップリンクサブフレームにおけるターゲットＰＵＳＣＨ送信との間のタイミング関係が定義されている。具体的には、ＤＣＩとＰＵＳＣＨ間のタイミング関係は、無線フレームの境界に重なるターゲットＰＵＳＣＨ送信をスケジュールできるようにしている。言い換えれば、ＰＵＳＣＨ送信とそれに関係するＤＣＩ送信を異なる無線フレームで行うことができる。例えば、ＴＤＤ構成６によると、ある無線フレームのサブフレーム２のＰＵＳＣＨ送信は、１つ前の無線フレームで行われたＤＣＩ送信に関係する。
【００９６】
同様に、ＴＤＤ構成０〜６それぞれに、１つまたは複数のＰＤＳＣＨ送信と、１つまたは複数のその後行われるハイブリッドＡＲＱ−ＡＣＫ送信との間のタイミング関係が定義されている。ＰＤＳＣＨとＨＡＲＱ−ＡＣＫ間のタイミング関係でも、無線フレーム境界に重なるＨＡＲＱ−ＡＣＫ送信を行えるようにしている。言い換えれば、ＨＡＲＱ−ＡＣＫ送信とそれに関係するＰＤＳＣＨ送信を異なる無線フレームで行うことができる。例えば、ＴＤＤ構成５によると、ある無線フレームのサブフレーム２のＨＡＲＱ−ＡＣＫ送信は、それに先立つ２つの無線フレームで行われたＰＤＳＣＨ送信に関係する。
【００９７】
これに関して、後続のサブフレーム間のＴＤＤ  ＵＬ／ＤＬ再構成では、対応するＤＣＩとＰＵＳＣＨ間のタイミング関係を適用しても、サポートされるすべてのアップリンクサブフレームのリソースを連続して割り当てることはできない。このようなアップリンクリソース割当ての不整合を以下に例示するが、この事例では、ＵＬグラントは、ＴＤＤ再構成が有効になる前に送信されたＤＣＩ送信にあり、そのＤＣＩ送信に関係するＰＵＳＣＨ送信は、ＴＤＤ再構成が有効になった後にスケジュールされる。
【００９８】
例として、ＴＤＤ構成３からＴＤＤ構成６へのＴＤＤ  ＵＬ／ＤＬ再構成を図９Ａに示す。ＴＤＤ構成３およびＴＤＤ構成６それぞれに、ＤＣＩとＰＵＳＣＨの間のタイミング関係を鎖線の矢印で示す。それに合わせて、アップリンク送信をサポートするサブフレームにＰＵＳＣＨ送信（すなわちアップリンク送信）を割り当てるために、それぞれのＰＵＳＣＨ送信に関係するＤＣＩ送信を鎖線矢印の起点として示す。
【００９９】
ただし、ＴＤＤ構成３からＴＤＤ構成６へのＴＤＤ  ＵＬ／ＤＬ再構成であることから、インデックス２４を持つサブフレームによるＰＵＳＣＨ送信は可能でない。特に、ＴＤＤ構成６は、ＴＤＤ  ＵＬ／ＤＬ再構成が有効になった後（すなわちインデックス２０のサブフレーム以降）に使用されるものであり、ＴＤＤ構成６のＤＣＩとＰＵＳＣＨ間のタイミング関係では、結果としてインデックス２４のサブフレームでＰＵＳＣＨ送信が行われうるＤＣＩ送信は可能ではない。図９Ａでは、これは、サブフレーム２４のＰＵＳＣＨを終点とする矢印が存在しないことで理解することができる。
【０１００】
例えばインデックス２２および２３を持つサブフレームのＰＵＳＣＨ送信に示されるように、ＴＤＤ  ＵＬ／ＤＬ再構成を行う前のＤＣＩ送信に関係するＰＵＳＣＨ送信をＴＤＤ  ＵＬ／ＤＬ再構成の後に実行すると仮定しても、結果としてＰＵＳＣＨ送信がインデックス２４のサブフレームにスケジューリングされるＤＣＩ送信の可能性はない。
【０１０１】
ＴＤＤ構成０からＴＤＤ構成６へのＴＤＤ  ＵＬ／ＤＬ再構成の別の例を図１０に示す。この例でも、結果としてＰＵＳＣＨ送信がインデックス２４のサブフレームにスケジューリングされるＤＣＩ送信の可能性はない。
【０１０２】
したがって、ＤＣＩとＰＵＳＣＨの間のタイミング関係がＴＤＤ構成ごとに事前に定義されているために、ＴＤＤ  ＵＬ／ＤＬ再構成の後にアップリンク帯域幅を直ちに利用することができない。
【０１０３】
さらなる例として、ＴＤＤ構成３からＴＤＤ構成６へのＴＤＤ  ＵＬ／ＤＬ再構成を図９Ｂにも示す。ＴＤＤ構成３およびＴＤＤ構成６それぞれについて、ＰＤＳＣＨとＨＡＲＱ−ＡＣＫの間のタイミング関係を鎖線の矢印で示す。それに合わせて、アップリンク送信をサポートするサブフレームにおけるＨＡＲＱ−ＡＣＫ送信については、各ＨＡＲＱ−ＡＣＫ送信に関係するＰＤＳＣＨ送信を鎖線矢印の起点として示す。
【０１０４】
ただし、ＴＤＤ構成３からＴＤＤ構成６へのＴＤＤ  ＵＬ／ＤＬ再構成であるため、インデックス１１、１７、および１８のサブフレームのＰＤＳＣＨ送信に対するＨＡＲＱ−ＡＣＫ送信は可能でない。特に、ＴＤＤ構成６は、ＴＤＤ  ＵＬ／ＤＬ再構成が行われた後（すなわちインデックス２０のサブフレーム以降）に使用されるものであり、ＴＤＤ構成６のＰＤＳＣＨとＨＡＲＱ−ＡＣＫの間のタイミング関係では、インデックス１１、１７、および１８のサブフレームにおけるＰＤＳＣＨ送信に関係するＨＡＲＱ−ＡＣＫ送信を行うことはできない。
【０１０５】
例えばインデックス１５、１６、および１９のサブフレームにおけるＰＤＳＣＨ送信に関係するＨＡＲＱ−ＡＣＫ送信に示されるように、ＴＤＤ  ＵＬ／ＤＬ再構成の前に行われたＰＤＳＣＨ送信に関係するＨＡＲＱ−ＡＣＫ送信をＴＤＤ  ＵＬ／ＤＬ再構成の後に実行すると仮定しても、インデックス１１、１７、および１８のサブフレームでＰＤＳＣＨ送信の受信を通知することになるＨＡＲＱ−ＡＣＫ送信の可能性はない。
【０１０６】
したがって、ＰＤＳＣＨとＨＡＲＱ−ＡＣＫの間のタイミング関係がＴＤＤ構成ごとに事前に定義されているために、割り当てられたハイブリッドＡＲＱ機能をＴＤＤ  ＵＬ／ＤＬ再構成の後に直ちに利用することができない。
【０１０７】
最近の３ＧＰＰ  ＬＴＥの会合では、ＴＤＤ  ＵＬ／ＤＬ再構成についてさまざまな手法が検討された。具体的には、ＴＤＤ  ＵＬ／ＤＬ再構成の後に連続的に適用しなければならない、ＤＣＩとＰＵＳＣＨの間のタイミング関係と、ＰＤＳＣＨとＨＡＲＱ−ＡＣＫの間のタイミング関係とに個別に基準構成を定義することが提案された。例として、ＳＩＢ１  ＴＤＤ構成が運用されているにも関わらず、ＵＥは、新たに定義される基準構成で指定されるタイミング関係を継続的に適用することになる。
【０１０８】
しかしながら、このような手法には以下の欠点がある。第一に、追加の上位層の構成が必要となる。第二に、基準構成のタイミング関係を、必要でない場合（例えば必要がなくなった場合）でも適用しなければならない。
【０１０９】
ＳＩＢ１  ＴＤＤ構成の例示的な事例では、その結果、一部のＨＡＲＱ−ＡＣＫ送信に不必要に長い遅延が生じ、一部のＴＤＤ構成によるＤＣＩとＰＵＳＣＨ送信との間に不必要な長い遅延が生じ、ＨＡＲＱ−ＡＣＫ送信が不必要にバンドルまたは多重化されて数個のＰＵＣＣＨサブフレームになる。
【先行技術文献】
【非特許文献】
【０１１０】
【非特許文献１】3GPP TS 36.211, "Evolved Universal Terrestrial Radio Access (E-UTRA); Physical Channels and Modulation (Release 8)"
【非特許文献２】3GPP TS 36.212, "Multiplexing and channel coding"
【非特許文献３】LTE - The UMTS Long Term Evolution - From Theory to Practice, Edited by Stefanie Sesia, Issam Toufik, Matthew Baker
【非特許文献４】3GPP 36.321
【非特許文献５】TS 36.213 v11.1.0 "3rd Generation Partnership Project; Technical Specification Group Radio Access Network; Evolved Universal Terrestrial Radio Access (E-UTRA); Physical layer procedures  (Release 11)"
【非特許文献６】3GPP TS 25.331, "Radio Resource Control (RRC)", version 6.7.0
【発明の概要】
【発明が解決しようとする課題】
【０１１１】
本発明の１つの目的は、上述した従来技術の問題を解決する、改善された時分割複信の再構成動作を提供することである。
【課題を解決するための手段】
【０１１２】
この目的は、独立請求項の主題によって解決される。有利な実施形態は、従属請求項の主題である。
【０１１３】
本発明のさまざまな実施形態は、ＴＤＤ  ＵＬ／ＤＬ再構成には、ＤＣＩとＰＵＳＣＨの間のタイミング関係、および／またはＰＤＳＣＨとＨＡＲＱ−ＡＣＫの間のタイミング関係を、ＴＤＤの無線フレーム構成とは異なる形で（すなわち個別に）適用すべきであるという概念に基づく。このＴＤＤの無線フレーム構成とタイミング関係との区別は、再構成が有効になる前および／または後の短い期間中にのみ行う。
【０１１４】
特に、事前定義されたＴＤＤ無線フレーム構成またはＴＤＤ構成が、無線フレーム中のサブフレームの予約を、ダウンリンク（「Ｄ」と略す）サブフレーム、アップリンク（「Ｕ」と略す）サブフレーム、または特殊（「Ｓ」と略す）サブフレームとして定義する。これに関して、ＴＤＤ  ＵＬ／ＤＬ再構成を行う場合は、ソースＴＤＤ構成が、再構成が有効になる前のサブフレームの予約を定義し、ターゲットＴＤＤ構成が、再構成が有効になった後のサブフレームの予約を定義する。
【０１１５】
ここで、ダウンリンクまたはアップリンクのための予約は、送信／受信方向（すなわち基地局から移動局に送信するダウンリンク、移動局から基地局に送信するアップリンク）を示す役割のみを果たし、そのような送信（例えばＤサブフレームに対応するＰＤＳＣＨ、またはＵサブフレームに対応するＰＵＳＣＨ）が実際に行われることは必ずしも意味しないことに留意することが重要である。これに関して、アップリンク送信はＵサブフレーム（またはＳサブフレームのＵｐＰＴＳ部分）だけで行うことができるが、すべてのＵ（またはＳのＵｐＰＴＳ部分）サブフレームがアップリンク送信を伝えるとは限らない。同様に、ダウンリンク送信はＤサブフレーム（またはＳサブフレームのＤｗＰＴＳ部分）だけで行うことができるが、すべてのＤ（またはＳのＤｗＰＴＳ部分）サブフレームがダウンリンク送信を伝えるとは限らない。
【０１１６】
例として、ソースＴＤＤ構成３からターゲットＴＤＤ構成６へのＴＤＤ  ＵＬ／ＤＬ再構成を行う場合には、ソースＴＤＤ構成３が、再構成が有効になる前の無線フレーム内のサブフレームの予約を定義し、ターゲットＴＤＤ構成６が、再構成後の無線フレーム内のサブフレームの予約を定義する。これに関して、ＴＤＤ通信方式では、再構成が有効になる前はＴＤＤ構成パターン「Ｄ，Ｓ，Ｕ，Ｕ，Ｕ，Ｄ，Ｄ，Ｄ，Ｄ，Ｄ」を利用し、再構成が有効になった後はＴＤＤ構成パターン「Ｄ，Ｓ，Ｕ，Ｕ，Ｕ，Ｄ，Ｓ，Ｕ，Ｕ，Ｄ」を利用する。
【０１１７】
本発明によると、ＤＣＩとＰＵＳＣＨの間のタイミング関係および／またはＰＤＳＣＨとＨＡＲＱ−ＡＣＫの間のタイミング関係が、ＴＤＤ  ＵＬ／ＤＬ再構成が有効になる前および／または後の一定期間中にソース／ターゲットＴＤＤ構成とは異なる形で適用される。言い換えれば、各ソース／ターゲットＴＤＤ構成がＤＣＩとＰＵＳＣＨの間のタイミング関係および／またはＰＤＳＣＨとＨＡＲＱ−ＡＣＫの間のタイミング関係を規定するものの、本発明によると、ＴＤＤ  ＵＬ／ＤＬ再構成が有効になる前および／または後の短い期間だけこの規定の規則が破られる。
【０１１８】
特に、用語「ＤＣＩとＰＵＳＣＨの間のタイミング関係」は、いつ（すなわちどのサブフレームで）ＤＣＩ送信に関係するＰＵＳＣＨ送信を実行しなければならないかを定義する。特に、ＰＵＳＣＨ送信はそれに先行するＵＬグラントを必要とするため、ＰＵＳＣＨ送信が関係するＤＣＩ送信は、本質的には、ＵＬグラントを伝えるＤＣＩ送信である。言い換えれば、ＬＴＥリリース１１では、対応するＤＣＩ送信はフォーマット０／４である。
【０１１９】
同様に、用語「ＰＤＳＣＨとＨＡＲＱ−ＡＣＫの間のタイミング関係」は、いつ（すなわちどのサブフレームで）ＰＤＳＣＨ送信に関係するＨＡＲＱ−ＡＣＫ送信を実行しなければならないかを定義する。本発明の文脈では、用語「ＨＡＲＱ−ＡＣＫ送信」は、あるＰＤＳＣＨ送信に関係するＡＣＫ／ＮＡＣＫ／ＤＴＸ情報の送信を意味する。これに関して、以下の説明で、サブフレームＰのＰＤＳＣＨ送信に関係するサブフレームＯでＨＡＲＱ−ＡＣＫ送信が実行されないという場合には、サブフレームＯで行われる可能性のあるＨＡＲＱ−ＡＣＫ送信が、ＰＤＳＣＨ送信Ｐに関係するＡＣＫ／ＮＡＣＫ／ＤＴＸ情報を含まないという意味に解釈すべきである。言い換えれば、サブフレームＰ以外のサブフレームにおけるＰＤＳＣＨ送信に対して、サブフレームＯでＨＡＲＱ−ＡＣＫ送信が行われる可能性がある。
【０１２０】
本発明によると、ＴＤＤ  ＵＬ／ＤＬ再構成時に、ＴＤＤ構成のために事前定義された、ＤＣＩとＰＵＳＣＨ間および／またはＰＤＳＣＨとＨＡＲＱ−ＡＣＫ間に関係するタイミング関係を、それぞれ、アップリンク帯域幅の利用を向上させるため、かつ／またはハイブリッドＡＲＱ機能を可能にするために、ＴＤＤ無線フレーム構成とは異なる形で適用する。
【０１２１】
本発明の第１の態様によると、通信システム内の移動局と基地局との間の通信が、改善されたＴＤＤ  ＵＬ／ＤＬ再構成を用いて定義される。通信は、ソースＴＤＤ構成からターゲットＴＤＤ構成に再構成される。
【０１２２】
ソースＴＤＤ構成は、あらかじめ設定された複数のＴＤＤ構成のサブセットのうちの１つである。例えば、ソースＴＤＤ構成は、ＴＤＤ構成１〜６のサブセットの１つであり、複数のＴＤＤ構成はＴＤＤ構成０〜６を含む。ターゲットＴＤＤ構成は、あらかじめ設定された複数のＴＤＤ構成のうちの任意の１つであり、例えばＴＤＤ構成０〜６のいずれかである。
【０１２３】
移動局と基地局の間の通信を、無線フレームの先頭にある所定のサブフレームＮについて再構成すべき場合、再構成が有効になるサブフレームＮより前のサブフレームはソースＴＤＤ構成に基づいて設定されるのに対し、サブフレームＮ以降のサブフレームはターゲットＴＤＤ構成に基づいて設定される。
【０１２４】
また、移動局が、ＵＬグラントを伝える１つまたは複数のダウンリンク制御情報（ＤＣＩ）送信を検出した場合、移動局は、以下の方式に従って、検出したＤＣＩ送信に応答して１つまたは複数の物理アップリンク共有チャネル（ＰＵＳＣＨ）送信を行う。
【０１２５】
サブフレームＮ−６を含むサブフレームＮ−６までに移動局に受信されたＤＣＩ送信に関係するＰＵＳＣＨ送信には、移動局はソースＴＤＤ構成を適用する。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信については、ソースＴＤＤ構成で定義されるタイミング関係を適用し、それにより、その１つまたは複数のＰＵＳＣＨ送信がいつ行われるかを判断する。
【０１２６】
サブフレームＮ−５からサブフレームＮ−１の間（サブフレームＮ−５およびサブフレームＮ−１を含む）に移動局に受信されたＤＣＩ送信に関係するＰＵＳＣＨ送信には、移動局は、中間の（すなわち事前定義された）ＴＤＤ構成を適用する。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、中間の（すなわち事前定義された）ＴＤＤ構成で定義されるタイミング関係を適用し、それにより、１つまたは複数のＰＵＳＣＨ送信がいつ行われるかを判断する。
【０１２７】
サブフレームＮ以降に移動局によって受信されたＤＣＩ送信に関係するＰＵＳＣＨ送信には、移動局はターゲットＴＤＤ構成を適用する。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、ターゲットＴＤＤ構成で定義されるタイミング関係を適用し、それにより、１つまたは複数のＰＵＳＣＨ送信がいつ行われるかを判断する。
【０１２８】
中間の（すなわち事前定義された）ＴＤＤ構成は、あらかじめ設定された複数のＴＤＤ構成の中の１つであり、例えばＴＤＤ構成０〜６のいずれか１つである。
【０１２９】
特に、ＴＤＤ  ＵＬ／ＤＬ再構成（およびしたがってターゲットＴＤＤ構成）が有効になる直前のＤＣＩ送信に関係するＰＵＳＣＨ送信に中間の（すなわち事前定義された）ＴＤＤ構成を適用することにより、通信システム内のアップリンク帯域幅の利用を改善することができる。
【０１３０】
本発明の第２の態様によると、通信システム内の移動局と基地局の間の通信が、第１の態様とは異なる形で改善されたＴＤＤ  ＵＬ／ＤＬ再構成を用いて指定される。通信は、ソースＴＤＤ構成からターゲットＴＤＤ構成に再構成される。
【０１３１】
ソースＴＤＤ構成は、あらかじめ設定された複数のＴＤＤ構成のうちのあらかじめ設定された１つである。例えば、ソースＴＤＤ構成はＴＤＤ構成０である。ターゲットＴＤＤ構成は、あらかじめ設定された複数のＴＤＤ構成のうちの任意の１つ、例えばＴＤＤ構成０〜６のいずれか１つである。
【０１３２】
移動局と基地局の間の通信を、サブフレームの先頭にある所定のサブフレームＮについて再構成すべき場合、再構成が有効になるサブフレームＮより前の無線フレームはソースＴＤＤ構成に基づいて設定されるのに対し、サブフレームＮ以降の無線フレームはターゲットＴＤＤ構成に基づいて設定される。
【０１３３】
さらに、移動局がＵＬグラントを伝える１つまたは複数のダウンリンク制御情報（ＤＣＩ）送信を検出した場合、移動局は、以下の方式に従って、検出したＤＣＩ送信に応答して１つまたは複数の物理アップリンク共有チャネル（ＰＵＳＣＨ）送信を行う。
【０１３４】
サブフレームＮまでに（サブフレームＮを含む）移動局に受信されたＤＣＩ送信に関係するＰＵＳＣＨ送信には、移動局はソースＴＤＤ構成を適用する。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、ソースＴＤＤ構成で定義されるタイミング関係を適用する。
【０１３５】
サブフレームＮ＋１以降に移動局に受信されたＤＣＩ送信に関係するＰＵＳＣＨ送信には、移動局はターゲットＴＤＤ構成を適用する。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、ターゲットＴＤＤ構成で定義されるタイミング関係を適用する。
【０１３６】
特に、ＴＤＤ  ＵＬ／ＤＬ再構成が有効になった（すなわちサブフレームＮ）直後に受信されるＤＣＩ送信に関係するＰＵＳＣＨ送信にターゲットＴＤＤ構成を適用することにより、通信システム内のアップリンク帯域幅の利用を改善することができる。
【０１３７】
本発明の第３の態様によると、通信システム内の移動局と基地局の間の通信が、別の改善されたＴＤＤ  ＵＬ／ＤＬ再構成を用いて指定される。通信は、ソースＴＤＤ構成からターゲットＴＤＤ構成に再構成される。
【０１３８】
ソースおよびターゲットのアップリンク／ダウンリンク構成は、複数のＴＤＤ構成のうちのＴＤＤ構成である。例えば、ソースおよびターゲットＴＤＤ構成は、あらかじめ設定された複数のＴＤＤ構成０〜６のいずれか１つである。
【０１３９】
移動局と基地局の間の通信を、サブフレームの先頭にある所定のサブフレームＮについて再構成すべき場合、再構成が有効になるサブフレームＮより前の無線フレームはソースＴＤＤ構成に基づいて設定されるのに対し、サブフレームＮ以降の無線フレームはターゲットＴＤＤ構成に基づいて設定される。
【０１４０】
さらに、移動局が物理ダウンリンク共有チャネル（ＰＤＳＣＨ）送信に応答してハイブリッドＡＲＱ−ＡＣＫ送信を行う場合、移動局は、以下の方式に従ってＨＡＲＱ−ＡＣＫ送信を行う。
【０１４１】
サブフレームＮ−１まで（サブフレームＮ−１を含む）に移動局から送信されるハイブリッドＡＲＱ−ＡＣＫ送信には、移動局はソースＴＤＤ構成を適用する。具体的には、移動局は、それらのサブフレームの間は、先に移動局に受信された１つまたは複数のＰＤＳＣＨ送信に応答して送信される１つまたは複数のＨＡＲＱ−ＡＣＫ送信には、ソースＴＤＤ構成で定義されるタイミング関係を適用する。
【０１４２】
サブフレームＮ＋１〜Ｎ＋１２の間に移動局から送られるハイブリッドＡＲＱ−ＡＣＫ送信には、移動局は別の中間の（すなわち事前定義された）ＴＤＤ構成を適用する。具体的には、移動局は、それらのサブフレームの間は、先に移動局に受信された１つまたは複数のＰＤＳＣＨ送信に応答して送信される１つまたは複数のＨＡＲＱ−ＡＣＫ送信には、上記別の中間の（すなわち事前定義された）ＴＤＤ構成で定義されたタイミング関係を適用する。他の中間ＴＤＤ構成は、複数のＴＤＤ構成のうちの１つである。
【０１４３】
サブフレームＮ＋１３以降に移動局から送られるハイブリッドＡＲＱ−ＡＣＫ送信には、移動局はターゲットＴＤＤ構成を適用する。具体的には、移動局は、それらのサブフレームでは、先に移動局に受信された１つまたは複数のＰＤＳＣＨ送信に応答して送信される１つまたは複数のＨＡＲＱ−ＡＣＫ送信には、ターゲットＴＤＤ構成で定義されるタイミング関係を適用する。
【０１４４】
特に、ＴＤＤ  ＵＬ／ＤＬ再構成が有効になった（すなわちサブフレームＮ）直後に送信／受信されるＨＡＲＱ−ＡＣＫ送信に別の中間の（すなわち事前定義された）ＴＤＤ構成を適用することにより、ハイブリッドＡＲＱ機能を継続して利用することができる。
【０１４５】
本発明の第１の態様に従う第１の実施形態によると、通信システム内の移動局と基地局の間で通信する方法が提案される。通信は、ソースアップリンク／ダウンリンク構成からターゲットアップリンク／ダウンリンク構成に再構成される。ソースアップリンク／ダウンリンク構成は、複数のアップリンク／ダウンリンク構成のサブセットのうちの１つであり、ターゲットアップリンク／ダウンリンク構成は、それら複数のアップリンク／ダウンリンク構成のうちの任意の１つである。複数のアップリンク／ダウンリンク構成は、時分割複信（ＴＤＤ）通信のためにあらかじめ設定されている。無線フレームの先頭にある所定のサブフレームＮについて通信を再構成する場合、通信システムは、ダウンリンク制御情報（ＤＣＩ）送信に応答して、サブフレームＮ−６を含むサブフレームＮ−６までに受信されたＤＣＩ送信に関係するＰＵＳＣＨ送信にはソースアップリンク／ダウンリンク構成を適用し、サブフレームＮ−５〜Ｎ−１の間に受信されたＤＣＩ送信に関係するＰＵＳＣＨ送信には、事前定義されたアップリンク／ダウンリンク構成を適用し、サブフレームＮ以降に受信されたＤＣＩ送信に関係するＰＵＳＣＨ送信にはターゲットアップリンク／ダウンリンク構成を適用する、ように物理アップリンク共有チャネル（ＰＵＳＣＨ）送信を行い、事前定義されたアップリンク／ダウンリンク構成は、上記複数のアップリンク／ダウンリンク構成のうちの１つである。
【０１４６】
この方法のより詳細な実施形態によると、事前定義されたアップリンク／ダウンリンク構成は、ソースアップリンク／ダウンリンク構成とは異なる。
【０１４７】
この方法の別のより詳細な実施形態によると、複数のアップリンク／ダウンリンク構成はアップリンク／ダウンリンク構成０〜６であり、ソースアップリンク／ダウンリンク構成は、アップリンク／ダウンリンク構成１〜６のサブセットのうちの１つであり、事前定義されたアップリンク／ダウンリンク構成はアップリンク／ダウンリンク構成６である。
【０１４８】
本発明の第２の態様に従う第２の実施形態によると、通信システム内の移動局と基地局の間で通信する方法が提案される。通信は、ソースアップリンク／ダウンリンク構成からターゲットアップリンク／ダウンリンク構成に再構成される。ソースアップリンク／ダウンリンク構成は、複数のアップリンク／ダウンリンク構成のうち事前定義された１つであり、ターゲットアップリンク／ダウンリンク構成は、それら複数のアップリンク／ダウンリンク構成のうちの任意の１つである。複数のアップリンク／ダウンリンク構成は、時分割複信（ＴＤＤ）通信のためにあらかじめ設定されている。無線フレームの先頭にある所定のサブフレームＮについて通信を再構成する場合、通信システムは、ダウンリンク制御情報（ＤＣＩ）送信に応答して、サブフレームＮを含むサブフレームＮまでに受信されたＤＣＩ送信に関係するＰＵＳＣＨ送信にはソースアップリンク／ダウンリンク構成を適用し、サブフレームＮ＋１以降に受信されたＤＣＩ送信に関係するＰＵＳＣＨ送信にはターゲットアップリンク／ダウンリンク構成を適用する、ように物理アップリンク共有チャネル（ＰＵＳＣＨ）送信を行う。
【０１４９】
この方法のより詳細な実施形態によると、複数のアップリンク／ダウンリンク構成はアップリンク／ダウンリンク構成０〜６であり、ソースアップリンク／ダウンリンク構成はアップリンク／ダウンリンク構成０である。
【０１５０】
この方法の別のより詳細な実施形態によると、複数のアップリンク／ダウンリンク構成はそれぞれ、前記ＤＣＩ送信とそれに対応するＰＵＳＣＨ送信との間のタイミングオフセットを決定する。
【０１５１】
この方法のさらに他のより詳細な実施形態によると、ソースアップリンク／ダウンリンク構成は、サブフレームＮ−１を含むサブフレームＮ−１まで、サブフレームがダウンリンク送信のために予約されているか、もしくはアップリンク送信のために予約されているかを示すか、またはダウンリンク送信とアップリンク送信の両方をサポートする特殊サブフレームを示し、ターゲットアップリンク／ダウンリンク構成は、サブフレームＮ以降について、サブフレームがダウンリンク送信のために予約されているか、もしくはアップリンク送信のために予約されているかを示すか、またはダウンリンク送信とアップリンク送信の両方をサポートする特殊サブフレームを示す。
【０１５２】
この方法のさらに別のより詳細な実施形態によると、移動局と基地局の間の通信を再構成すべきことを知らせる情報が通信システム内で配布され、かつ、その情報がサブフレームＮ−１４以降からサブフレームＮ−５を含むサブフレームＮ−５までの間隔内に配布される場合、その情報の配布により、所定のサブフレームＮについて通信が再構成され、Ｎは無線フレームの先頭にあるサブフレームである。
【０１５３】
本発明の第３の態様に従う第３の実施形態によると、通信システム内の移動局と基地局の間で通信する方法が提案される。通信は、ソースアップリンク／ダウンリンク構成からターゲットアップリンク／ダウンリンク構成に再構成される。ソースおよびターゲットのアップリンク／ダウンリンク構成は、複数のアップリンク／ダウンリンク構成のうちのアップリンク／ダウンリンク構成である。複数のアップリンク／ダウンリンク構成は、時分割複信（ＴＤＤ）通信のためにあらかじめ設定されている。無線フレームの先頭にある所定のサブフレームＮについて通信を再構成する場合、通信システムは、物理ダウンリンク共有チャネル（ＰＤＳＣＨ）送信に応答して、サブフレームＮ−１を含むサブフレームＮ−１までのハイブリッドＡＲＱ−ＡＣＫ送信にはソースアップリンク／ダウンリンク構成を適用し、サブフレームＮ〜Ｎ＋１２の間のハイブリッドＡＲＱ−ＡＣＫ送信には、別の事前定義されたアップリンク／ダウンリンク構成を適用し、サブフレームＮ＋１３以降のハイブリッドＡＲＱ−ＡＣＫ送信にはターゲットアップリンク／ダウンリンク構成を適用する、ようにハイブリッドＡＲＱ−ＡＣＫ送信を行い、上記別の事前定義されたアップリンク／ダウンリンク構成は、上記複数のアップリンク／ダウンリンク構成のうちの１つである。
【０１５４】
第３の実施形態は、第１または第２の実施形態と組み合わせることができる。
【０１５５】
この方法のより詳細な実施形態によると、別の事前定義されたアップリンク／ダウンリンク構成は、ターゲットアップリンク／ダウンリンク構成とは異なる。
【０１５６】
この方法の別のより詳細な実施形態によると、別の事前定義されたアップリンク／ダウンリンク構成はアップリンク／ダウンリンク構成５である。
【０１５７】
この方法のさらにより詳細な実施形態によると、複数のアップリンク／ダウンリンク構成のうちどれがサブフレームＮ〜Ｎ＋１２の間のハイブリッドＡＲＱ−ＡＣＫ送信に適用される上記別の事前定義されたアップリンク／ダウンリンク構成に対応するかを示す情報が、通信システム内で配布される。
【０１５８】
この方法のさらに別のより詳細な実施形態によると、複数のアップリンク／ダウンリンク構成はそれぞれ、前記ＰＤＳＣＨ送信とそれに対応するハイブリッドＡＲＱ−ＡＣＫ送信との間のタイミングオフセットを決定する。
【０１５９】
この方法のさらにより詳細な実施形態によると、物理ダウンリンク共有チャネル（ＰＤＳＣＨ）送信に応答して、ソースアップリンク／ダウンリンク構成が適用される場合で、そのソースアップリンク／ダウンリンク構成が、サブフレームＮ−１を含むサブフレームＮ−１までのハイブリッドＡＲＱ−ＡＣＫ送信を規定し、当該ハイブリッドＡＲＱ−ＡＣＫ送信が上記ＰＤＳＣＨ送信に関係する場合、および上記別の事前定義されたアップリンク／ダウンリンク構成が適用される場合で、その別の事前定義されたアップリンク／ダウンリンク構成が、サブフレームＮ〜Ｎ＋１２の間のハイブリッドＡＲＱ−ＡＣＫ送信を規定し、当該ハイブリッドＡＲＱ−ＡＣＫ送信が上記ＰＤＳＣＨ送信に関係する場合には、移動局は、サブフレームＮ−１を含むサブフレームＮ−１までのハイブリッドＡＲＱ−ＡＣＫ送信のみを行うか、あるいは、移動局はサブフレームＮ〜Ｎ＋１２の間のハイブリッドＡＲＱ−ＡＣＫ送信のみを行う。
【０１６０】
この方法のさらに別のより詳細な実施形態によると、上記別の事前定義されたアップリンク／ダウンリンク構成が適用され、かつ、その別の事前定義されたアップリンク／ダウンリンク構成が、アップリンク送信のみをサポートするように設定された少なくとも１つのサブフレームについてサブフレームＮ〜Ｎ＋１２の間のハイブリッドＡＲＱ−ＡＣＫ送信を規定し、前記少なくとも１つのサブフレームが、サブフレームＮ−１１からサブフレームＮ−１を含むサブフレームＮ−１までの間隔内にある場合、移動局は、サブフレームＮ〜Ｎ＋１２の間は、ダウンリンク送信をサポートするように設定されたサブフレームのみに関係するハイブリッドＡＲＱ−ＡＣＫ送信を行うか、あるいは、移動局は、前記少なくとも１つのサブフレームがアップリンク送信のみをサポートしＰＤＳＣＨ送信に関係しないことを知らせる、アップリンク送信のみをサポートするように設定された前記少なくとも１つのサブフレームについての事前定義された情報を含むハイブリッドＡＲＱ−ＡＣＫ送信を行う。
【０１６１】
さらに第１の実施形態について、通信システム内で基地局と通信する移動局が提案される。通信は、ソースアップリンク／ダウンリンク構成からターゲットアップリンク／ダウンリンク構成に再構成される。ソースアップリンク／ダウンリンク構成は、複数のアップリンク／ダウンリンク構成のサブセットのうちの１つであり、ターゲットアップリンク／ダウンリンク構成は、それら複数のアップリンク／ダウンリンク構成のうちの任意の１つである。複数のアップリンク／ダウンリンク構成は、時分割複信（ＴＤＤ）通信のためにあらかじめ設定されている。無線フレームの先頭にある所定のサブフレームＮについて通信を再構成する場合、移動局は、ダウンリンク制御情報（ＤＣＩ）送信に応答して、サブフレームＮ−６を含むサブフレームＮ−６までに受信されたＤＣＩ送信に関係するＰＵＳＣＨ送信にはソースアップリンク／ダウンリンク構成を適用し、サブフレームＮ−５〜Ｎ−１の間に受信されたＤＣＩ送信に関係するＰＵＳＣＨ送信には事前定義されたアップリンク／ダウンリンク構成を適用し、サブフレームＮ以降に受信されたＤＣＩ送信に関係するＰＵＳＣＨ送信にはターゲットアップリンク／ダウンリンク構成を適用する、ように物理アップリンク共有チャネル（ＰＵＳＣＨ）送信を行い、事前定義されたアップリンク／ダウンリンク構成は、上記複数のアップリンク／ダウンリンク構成のうちの１つである。
【０１６２】
この移動局のより詳細な実施形態によると、事前定義されたアップリンク／ダウンリンク構成は、ソースアップリンク／ダウンリンク構成とは異なる。
【０１６３】
この移動局の別のより詳細な実施形態によると、複数のアップリンク／ダウンリンク構成はアップリンク／ダウンリンク構成０〜６であり、ソースアップリンク／ダウンリンク構成は、アップリンク／ダウンリンク構成１〜６のサブセットのうちの１つであり、事前定義されたアップリンク／ダウンリンク構成はアップリンク／ダウンリンク構成６である。
【０１６４】
さらに第２の実施形態について、通信システム内で基地局と通信する移動局が提案される。通信は、ソースアップリンク／ダウンリンク構成からターゲットアップリンク／ダウンリンク構成に再構成される。ソースアップリンク／ダウンリンク構成は、複数のアップリンク／ダウンリンク構成のうち事前定義された１つであり、ターゲットアップリンク／ダウンリンク構成は、それら複数のアップリンク／ダウンリンク構成のうちの任意の１つである。複数のアップリンク／ダウンリンク構成は、時分割複信（ＴＤＤ）通信のためにあらかじめ設定されている。無線フレームの先頭にある所定のサブフレームＮについて通信を再構成する場合、移動局は、ダウンリンク制御情報（ＤＣＩ）送信に応答して、サブフレームＮを含むサブフレームＮまでに受信されたＤＣＩ送信に関係するＰＵＳＣＨ送信にはソースアップリンク／ダウンリンク構成を適用し、サブフレームＮ＋１以降に受信されたＤＣＩ送信に関係するＰＵＳＣＨ送信にはターゲットアップリンク／ダウンリンク構成を適用する、ように物理アップリンク共有チャネル（ＰＵＳＣＨ）送信を行う。
【０１６５】
この移動局のより詳細な実施形態によると、複数のアップリンク／ダウンリンク構成はアップリンク／ダウンリンク構成０〜６であり、ソースアップリンク／ダウンリンク構成はアップリンク／ダウンリンク構成０である。
【０１６６】
この移動局の別のより詳細な実施形態によると、複数のアップリンク／ダウンリンク構成はそれぞれ、前記ＤＣＩ送信とそれに対応するＰＵＳＣＨ送信との間のタイミングオフセットを決定する。
【０１６７】
この移動局のさらにより詳細な実施形態によると、ソースアップリンク／ダウンリンク構成は、サブフレームＮ−１を含むサブフレームＮ−１まで、サブフレームがダウンリンク送信のために予約されているか、もしくはアップリンク送信のために予約されているかを示すか、またはダウンリンク送信とアップリンク送信の両方をサポートする特殊サブフレームを示し、ターゲットアップリンク／ダウンリンク構成は、サブフレームＮ以降について、サブフレームがダウンリンク送信のために予約されているか、もしくはアップリンク送信のために予約されているかを示すか、またはダウンリンク送信とアップリンク送信の両方をサポートする特殊サブフレームを示す。
【０１６８】
この移動局のさらに別のより詳細な実施形態によると、移動局と基地局の間の通信を再構成すべきことを知らせる情報が通信システム内で配布さ、かつ、その情報がサブフレームＮ−１４以降から、サブフレームＮ−５を含むサブフレームＮ−５までの間隔内に配布される場合、その情報の配布により、所定のサブフレームＮについて通信が再構成され、Ｎは無線フレームの先頭にあるサブフレームである。
【０１６９】
さらに第３の実施形態について、通信システム内で基地局と通信する移動局が提案される。通信は、ソースアップリンク／ダウンリンク構成からターゲットアップリンク／ダウンリンク構成に再構成される。ソースおよびターゲットのアップリンク／ダウンリンク構成は、複数のアップリンク／ダウンリンク構成のうちのアップリンク／ダウンリンク構成である。複数のアップリンク／ダウンリンク構成は、時分割複信（ＴＤＤ）通信のためにあらかじめ設定されている。無線フレームの先頭にある所定のサブフレームＮについて通信を再構成する場合、移動局は、物理ダウンリンク共有チャネル（ＰＤＳＣＨ）送信に応答して、サブフレームＮ−１を含むサブフレームＮ−１までのハイブリッドＡＲＱ−ＡＣＫ送信にはソースアップリンク／ダウンリンク構成を適用し、サブフレームＮ〜Ｎ＋１２の間のハイブリッドＡＲＱ−ＡＣＫ送信には、別の事前定義されたアップリンク／ダウンリンク構成を適用し、サブフレームＮ＋１３以降のハイブリッドＡＲＱ−ＡＣＫ送信にはターゲットアップリンク／ダウンリンク構成を適用する、ようにハイブリッドＡＲＱ−ＡＣＫ送信を行い、上記別の事前定義されたアップリンク／ダウンリンク構成は、上記複数のアップリンク／ダウンリンク構成のうちの１つである。
【０１７０】
この移動局のより詳細な実施形態によると、別の事前定義されたアップリンク／ダウンリンク構成は、ターゲットアップリンク／ダウンリンク構成とは異なる。
【０１７１】
この移動局の別のより詳細な実施形態によると、別の事前定義されたアップリンク／ダウンリンク構成はアップリンク／ダウンリンク構成５である。
【０１７２】
この移動局のさらにより詳細な実施形態によると、複数のアップリンク／ダウンリンク構成のうちどれがサブフレームＮ〜Ｎ＋１２の間のハイブリッドＡＲＱ−ＡＣＫ送信に適用される上記別の事前定義されたアップリンク／ダウンリンク構成に対応するかを示す情報が、通信システム内で配布される。
【０１７３】
この移動局のさらに別のより詳細な実施形態によると、複数のアップリンク／ダウンリンク構成はそれぞれ、前記ＰＤＳＣＨ送信とそれに対応するハイブリッドＡＲＱ−ＡＣＫ送信との間のタイミングオフセットを決定する。
【０１７４】
この移動局のさらにより詳細な実施形態によると、物理ダウンリンク共有チャネル（ＰＤＳＣＨ）送信に応答して、ソースアップリンク／ダウンリンク構成が適用される場合で、そのソースアップリンク／ダウンリンク構成が、サブフレームＮ−１を含むサブフレームＮ−１までのハイブリッドＡＲＱ−ＡＣＫ送信を規定し、当該ハイブリッドＡＲＱ−ＡＣＫ送信が上記ＰＤＳＣＨ送信に関係する場合、および、上記別の事前定義されたアップリンク／ダウンリンク構成が適用される場合で、その別の事前定義されたアップリンク／ダウンリンク構成が、サブフレームＮ〜Ｎ＋１２の間のハイブリッドＡＲＱ−ＡＣＫ送信を規定し、当該ハイブリッドＡＲＱ−ＡＣＫ送信が上記ＰＤＳＣＨ送信に関係する場合には、移動局は、サブフレームＮ−１を含むサブフレームＮ−１までのハイブリッドＡＲＱ−ＡＣＫ送信のみを行うか、あるいは、移動局はサブフレームＮ〜Ｎ＋１２の間のハイブリッドＡＲＱ−ＡＣＫ送信のみを行う。
【０１７５】
この移動局のさらに別のより詳細な実施形態によると、上記別の事前定義されたアップリンク／ダウンリンク構成が適用され、かつ、その別の事前定義されたアップリンク／ダウンリンク構成が、アップリンク送信のみをサポートするように設定された少なくとも１つのサブフレームについてサブフレームＮ〜Ｎ＋１２の間のハイブリッドＡＲＱ−ＡＣＫ送信を規定し、前記少なくとも１つのサブフレームが、サブフレームＮ−１１からサブフレームＮ−１を含むサブフレームＮ−１までの間隔内にある場合、移動局は、サブフレームＮ〜Ｎ＋１２の間は、ダウンリンク送信をサポートするように設定されたサブフレームのみに関係するハイブリッドＡＲＱ−ＡＣＫ送信を行うか、あるいは、移動局は、前記少なくとも１つのサブフレームがアップリンク送信のみをサポートしＰＤＳＣＨ送信に関係しないことを知らせる、アップリンク送信のみをサポートするように設定された前記少なくとも１つのサブフレームについての事前定義された情報を含むハイブリッドＡＲＱ−ＡＣＫ送信を行う。
【０１７６】
さらに第１の実施形態について、移動局のプロセッサによって実行されると、移動局に通信システム内の基地局と通信させる命令を記憶したコンピュータ可読媒体が提案される。通信は、ソースアップリンク／ダウンリンク構成からターゲットアップリンク／ダウンリンク構成に再構成される。ソースアップリンク／ダウンリンク構成は、複数のアップリンク／ダウンリンク構成のサブセットのうちの１つであり、ターゲットアップリンク／ダウンリンク構成は、それら複数のアップリンク／ダウンリンク構成のうちの任意の１つである。複数のアップリンク／ダウンリンク構成は、時分割複信（ＴＤＤ）通信のためにあらかじめ設定されている。無線フレームの先頭にある所定のサブフレームＮについて通信を再構成する場合、移動局は、ダウンリンク制御情報（ＤＣＩ）送信に応答して、サブフレームＮ−６を含むサブフレームＮ−６までに受信されたＤＣＩ送信に関係するＰＵＳＣＨ送信にはソースアップリンク／ダウンリンク構成を適用し、サブフレームＮ−５〜Ｎ−１の間に受信されたＤＣＩ送信に関係するＰＵＳＣＨ送信には、事前定義されたアップリンク／ダウンリンク構成を適用し、サブフレームＮ以降に受信されたＤＣＩ送信に関係するＰＵＳＣＨ送信にはターゲットアップリンク／ダウンリンク構成を適用する、ように物理アップリンク共有チャネル（ＰＵＳＣＨ）送信を行い、事前定義されたアップリンク／ダウンリンク構成は、上記複数のアップリンク／ダウンリンク構成のうちの１つである。
【０１７７】
さらに第２の実施形態について、移動局のプロセッサによって実行されると、移動局に通信システム内の基地局と通信させる命令を記憶したコンピュータ可読媒体が提案される。通信は、ソースアップリンク／ダウンリンク構成からターゲットアップリンク／ダウンリンク構成に再構成される。ソースアップリンク／ダウンリンク構成は、複数のアップリンク／ダウンリンク構成のうち事前定義された１つであり、ターゲットアップリンク／ダウンリンク構成は、それら複数のアップリンク／ダウンリンク構成のうちの任意の１つである。複数のアップリンク／ダウンリンク構成は、時分割複信（ＴＤＤ）通信のためにあらかじめ設定されている。無線フレームの先頭にある所定のサブフレームＮについて通信を再構成する場合、移動局は、ダウンリンク制御情報（ＤＣＩ）送信に応答して、サブフレームＮを含むサブフレームＮまでに受信されたＤＣＩ送信に関係するＰＵＳＣＨ送信にはソースアップリンク／ダウンリンク構成を適用し、サブフレームＮ＋１以降に受信されたＤＣＩ送信に関係するＰＵＳＣＨ送信にはターゲットアップリンク／ダウンリンク構成を適用する、ように物理アップリンク共有チャネル（ＰＵＳＣＨ）送信を行う。
【０１７８】
さらに第３の実施形態について、移動局のプロセッサによって実行されると、移動局に通信システム内の基地局と通信させる命令を記憶したコンピュータ可読媒体が提案される。通信は、ソースアップリンク／ダウンリンク構成からターゲットアップリンク／ダウンリンク構成に再構成される。ソースアップリンク／ダウンリンク構成は、複数のアップリンク／ダウンリンク構成のサブセットのうちの１つであり、ターゲットアップリンク／ダウンリンク構成は、それら複数のアップリンク／ダウンリンク構成の任意の１つである。複数のアップリンク／ダウンリンク構成は、時分割複信（ＴＤＤ）通信のためにあらかじめ設定されている。無線フレームの先頭にある所定のサブフレームＮについて通信を再構成する場合、移動局は、物理ダウンリンク共有チャネル（ＰＤＳＣＨ）送信に応答して、サブフレームＮ−１を含むサブフレームＮ−１までのハイブリッドＡＲＱ−ＡＣＫ送信にはソースアップリンク／ダウンリンク構成を適用し、サブフレームＮ〜Ｎ＋１２の間のハイブリッドＡＲＱ−ＡＣＫ送信には、別の事前定義されたアップリンク／ダウンリンク構成を適用し、サブフレームＮ＋１３以降のハイブリッドＡＲＱ−ＡＣＫ送信にはターゲットアップリンク／ダウンリンク構成を適用する、ようにハイブリッドＡＲＱ−ＡＣＫ送信を行い、上記別の事前定義されたアップリンク／ダウンリンク構成は、上記複数のアップリンク／ダウンリンク構成のうちの１つである。
【０１７９】
以下では、本発明について、添付の図面を参照しながらさらに詳しく説明する。
【図面の簡単な説明】
【０１８０】
【図１】３ＧＰＰ  ＬＴＥシステムの例示的なアーキテクチャを示している。
【図２】３ＧＰＰ  ＬＴＥのＥ−ＵＴＲＡＮアーキテクチャ全体の例示的な概要を示している。
【図３】３ＧＰＰ  ＬＴＥ（リリース８／９時）において定義されているダウンリンクコンポーネントキャリアの例示的なサブフレーム境界を示している。
【図４】３ＧＰＰ  ＬＴＥ（リリース８／９時）において定義されているダウンリンクスロットの例示的なダウンリンクリソースグリッドを示している。
【図５】現時点で標準化されている７つの（静的な）ＴＤＤ  ＵＬ／ＤＬ構成０〜６について、それぞれにおける１０個のサブフレームの定義と、切替え点周期性を示している。
【図６】３ＧＰＰ  ＬＴＥで定義されている静的なＴＤＤ構成０〜６のＨＡＲＱ  ＡＣＫ／ＮＡＣＫ／ＤＴＸフィードバックのタイミングを示している。
【図７】３ＧＰＰ  ＬＴＥで定義されている静的なＴＤＤ構成０〜６について、ダウンリンク制御情報（ＤＣＩ）送信に応答した物理アップリンク共有チャネル（ＰＵＳＣＨ）送信のタイミングを示している。
【図８】５ｍｓの切替え点周期性の場合における、２つのハーフフレーム、１０個のサブフレームから構成されている無線フレームの構造を示している。
【図９】図９Ａおよび図９Ｂは、３種類のＴＤＤ  ＵＬ／ＤＬ再構成動作に関する例示的な無線フレームの順序とその欠点を示している。
【図１０】３種類のＴＤＤ  ＵＬ／ＤＬ再構成動作に関する例示的な無線フレームの順序とその欠点を示している。
【図１１】図１１Ａは、本発明の第１の実施形態による、改善されたＰＵＳＣＨ送信の割当てを含む例示的なＴＤＤ  ＵＬ／ＤＬ再構成動作を示し、図１１Ｂは、本発明の第２の実施形態による、改善されたＨＡＲＱ−ＡＣＫ送信の割当てを含む例示的なＴＤＤ  ＵＬ／ＤＬ再構成動作を示している。
【図１２】本発明の第３の実施形態による、改善されたＰＵＳＣＨ送信割当ての異なる実現を含む例示的なＴＤＤ  ＵＬ／ＤＬ再構成動作を示している。
【発明を実施するための形態】
【０１８１】
以下の段落では、本発明のさまざまな実施形態について説明する。例示のみを目的として、実施形態のほとんどは、３ＧＰＰ  ＬＴＥ（リリース８／９）およびＬＴＥ−Ａ（リリース１０／１１／１２）の移動通信システムによる無線アクセス方式に関連して概説してあり、これらの技術については一部が上の背景技術のセクションに説明してある。
【０１８２】
なお、本発明は、例えば、上の背景技術のセクションに説明されている３ＧＰＰ  ＬＴＥ−Ａ（リリース１０／１１／１２）の通信システムなどの移動通信システムにおいて有利に使用することができるが、本発明は、この特定の例示的な通信ネットワークにおける使用に限定されないことに留意されたい。
【０１８３】
本発明の文脈では、用語「ソースＴＤＤ構成」または「ソースアップリンク／ダウンリンク構成」、ならびに「ターゲットＴＤＤ構成」または「ターゲットアップリンク／ダウンリンク構成」を使用して、ＴＤＤ  ＵＬ／ＤＬ再構成の概念を強調する。それでも、ソースＴＤＤ構成は、通信システム内の移動局と基地局との間の通信に適用される最初の構成ではないことは明らかであろう。同様に、ターゲットＴＤＤ構成も、通信システム内の通信に適用される最後のＴＤＤ構成ではない。
【０１８４】
具体的には、本発明の文脈では、用語ソースおよびターゲットＴＤＤ構成は、ＴＤＤ  ＵＬ／ＤＬ再構成がサブフレームＮで有効になる場合、ソースＴＤＤ構成は、第１の実施形態では、間隔［Ｎ−ｋ，Ｎ−６］中に少なくとも適用され、ｋ＞＝１０であり、第２の実施形態では間隔［Ｎ−ｋ，Ｎ］中に少なくとも適用され、ｋ＞＝９であるという意味に解釈することができる。同様に、ターゲットＴＤＤ構成は、第１の実施形態では間隔［Ｎ，Ｎ＋ｊ］中に少なくとも適用され、ｊ＞＝４であり、第２の実施形態では［Ｎ＋１，Ｎ＋ｊ］に少なくとも適用され、ｊ＞＝１０である。同様の考察が、第３および第４の実施形態にも等しく当てはまる。
【０１８５】
以下では、本発明のいくつかの実施形態について詳しく説明する。これらの説明は、本発明を制限するものではなく、本発明を深く理解するため本発明の実施形態の単なる例であることを理解されたい。当業者には、請求項に記載されている本発明の一般的な原理を、異なるシナリオに適用できること、または本明細書に明示的に記載されていない方法で適用できることが認識されるであろう。したがって、さまざまな実施形態を説明する目的のために想定されている以下のシナリオは、本発明を制限するものではない。
【０１８６】
本発明に関連して説明されるさまざまな実施形態は、一般にＴＤＤ構成を参照し、特に、改善され、よりフレキシブルなＴＤＤ構成とそれに関連するメカニズム／プロセスを提供する。
【０１８７】
第１の実施形態
【０１８８】
本発明の概要との関連で、さまざまな実施形態が、ＴＤＤ  ＵＬ／ＤＬ再構成のために、ＤＣＩとＰＵＳＣＨの間および／またはＰＤＳＣＨとＨＡＲＱ−ＡＣＫの間に関係するタイミング関係を、ＴＤＤの無線フレーム構成とは異なる形で適用するという概念に基づくことはすでに強調した。このＴＤＤ無線フレーム構成とタイミング関係との間の区別は、再構成が有効になる前および／または有効になった後の短い期間だけ行う。
【０１８９】
第１の実施形態によると、ＤＣＩとＰＵＳＣＨの間のタイミング関係を適合させて、有利なＴＤＤ  ＵＬ／ＤＬ再構成を可能にする。具体的には、本実施形態では、通信システム内のアップリンク帯域幅の利用を改善することができるように、再構成が有効になる前の短い期間の間、ＤＣＩとＰＵＳＣＨの間のタイミング関係を適合させる。
【０１９０】
第１の実施形態による例示的なＴＤＤ  ＵＬ／ＤＬ再構成動作を図１１Ａに示し、この図は、ＴＤＤの無線フレーム構成と、ＤＣＩとＰＵＳＣＨ間のタイミング関係とを区別することの利益を強調している。図１１Ａに示すＴＤＤ  ＵＬ／ＤＬ再構成動作は、図９Ａに示す例に基づいている。図１１Ａの例も同じようにＴＤＤ構成３からＴＤＤ構成６へのＴＤＤ  ＵＬ／ＤＬ再構成を想定している。再構成はサブフレーム２０で有効になり、サブフレーム２０は無線フレームの最初のサブフレームである。
【０１９１】
第１の実施形態は、通信システム内の移動局と基地局との間の通信を想定する。通信は、ソースＴＤＤ構成からターゲットＴＤＤ構成に再構成される。この第１の実施形態を適用可能にするために、ソースＴＤＤ構成は、複数のＴＤＤ構成のサブセットのうちの１つであり、ターゲットＴＤＤ構成は、それら複数のＴＤＤ構成のうちの任意の１つである。用語「再構成」は、本質的に、ソースＴＤＤ構成がターゲットＴＤＤ構成と異なることを定義することを強調しておく。
【０１９２】
有利な実現では、ＴＤＤ構成のサブセットはＴＤＤ構成１〜６に対応し、複数のＴＤＤ構成はＴＤＤ構成０〜６に対応する。上記の有利な実現では、ＴＤＤ構成０は、第１の実施形態のソースＴＤＤ構成として不都合であるように見えるが、それでも、適合されたＤＣＩとＰＵＳＣＨ間のタイミング関係は、ソースＴＤＤ構成がＴＤＤ構成０である第１の実施形態のＴＤＤ  ＵＬ／ＤＬ再構成に適用することができる。
【０１９３】
移動局と基地局との間の通信を再構成するために、それらの移動局および基地局を含む通信システム内で情報が配布される。この情報の配布により、移動局と基地局との間の通信が所定のサブフレームＮについて再構成され、サブフレームＮは無線フレームの先頭にある。
【０１９４】
例示的な一実装によると、再構成が有効になるサブフレームＮは、無線フレーム中の最初のサブフレームに対応する。しかしながら、異なる例示的実装によると、サブフレームＮは、無線フレーム中の２番目、３番目、または４番目のサブフレームに対応してもよい。
【０１９５】
１つまたは複数のダウンリンク制御情報（ＤＣＩ）送信に応答して、それに対応する物理アップリンク共有チャネル（ＰＵＳＣＨ）送信が、本実施形態で定義されるＤＣＩとＰＵＳＣＨ間のタイミング関係に従って移動局によって行われる。具体的には、用語「ＤＣＩとＰＵＳＣＨ間のタイミング関係」は、１つまたは複数のＤＣＩ送信とそれに対応するＰＵＳＣＨ送信との間でＴＤＤ構成インデックスによって定義されるタイミングオフセットを意味する。
【０１９６】
まず、サブフレームＮ−６を含むサブフレームＮ−６までに移動局に受信されたＤＣＩ送信に関係するＰＵＳＣＨ送信に、移動端末によってソースＴＤＤ構成が適用される。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、ソースＴＤＤ構成で定義されるタイミング関係を適用する。
【０１９７】
次いで、サブフレームＮ−５からサブフレームＮ−１の間（サブフレームＮ−５およびサブフレームＮ−１を含む）に移動局に受信されたＤＣＩ送信に関係するＰＵＳＣＨ送信に、移動端末によって中間の（すなわち事前定義された）ＴＤＤ構成が適用される。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、中間の（すなわち事前定義された）ＴＤＤ構成で定義されるタイミング関係を適用する。
【０１９８】
最後に、サブフレームＮ以降に移動局に受信されたＤＣＩ送信に関係するＰＵＳＣＨ送信に、移動端末によってターゲットＴＤＤ構成が適用される。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、ターゲットＴＤＤ構成で定義されるタイミング関係を適用する。
【０１９９】
有利な実装によると、サブフレームＮ−５〜Ｎ−１の間のＤＣＩ送信に関係するＰＵＳＣＨ送信に適用される中間の（すなわち事前定義された）ＴＤＤ構成は、ソースＴＤＤ構成とは異なる。これに関して、通信システムは、ＤＣＩとＰＵＳＣＨ間のタイミング関係を規定する中間の（すなわち事前定義された）ＴＤＤ構成としてのＴＤＤ構成を適用することができるようになり、それにより、ソースＴＤＤ構成とターゲットＴＤＤ構成との間の遷移の結果生じるアップリンク帯域幅の損失が緩和される。
【０２００】
第１の実施形態の有利な実装によると、中間の（すなわち事前定義された）ＴＤＤ構成は、図７に定義されるようにＴＤＤ構成６である。このＴＤＤ構成６では、次の無線フレームの３つのサブフレームに対するＵＬグラントを伝えるＤＣＩ送信が可能である。特に、ＴＤＤ構成６では、サブフレーム５、６、および９におけるＤＣＩ送信で、サブフレーム（５＋７）＝１２、（６＋７）＝１３、および（９＋５）＝１４のそれぞれのＰＵＳＣＨ送信が可能となる。これに関して、ＴＤＤ構成６では、アップリンク送信をサポートするように設定することが可能な次の無線フレームの前半のすべてのサブフレーム（すなわちサブフレーム２、３、および４）でＰＵＳＣＨ送信を行うことができる（図５参照）。
【０２０１】
図１１Ａに示す例を参照すると、ＴＤＤ構成６を適用して、サブフレーム１５〜１９（図１１Ａの網掛けしたサブフレームを参照）についてＤＣＩとＰＵＳＣＨ間のタイミング関係を決定する。具体的には、サブフレーム１５、１６、および１９で受信されたＤＣＩサブフレームに関係するＰＵＳＣＨ送信にＴＤＤ構成６を適用して、ＴＤＤ構成６が、ＴＤＤ  ＵＬ／ＤＬ再構成が有効になった後にサブフレーム２２、２３、および２４で実行すべきＰＵＳＣＨ送信を規定するようにする（図１１Ａの鎖線の矢印を参照されたい）。
【０２０２】
これに関して、第１の実施形態では、再構成が有効になる前の短い期間中に、ＤＣＩとＰＵＳＣＨ間のタイミング関係、すなわち、中間の（すなわち事前定義された）ＴＤＤ構成に対応するタイミング関係を適合させることができる。それにより、割当てが不可能なＰＵＳＣＨサブフレームを回避することができ、通信システム内のアップリンク帯域幅の利用が改善する。
【０２０３】
具体的には、サブフレームＮ−５〜Ｎ−１の間のＤＣＩ送信のＤＣＩとＰＵＳＣＨ間のタイミング関係を決定する中間の（すなわち事前定義された）ＴＤＤ構成としてＴＤＤ構成６が利用される場合には、次の無線フレームの前半のすべてのサブフレームをＰＵＳＣＨ送信のために割り当てることができる。具体的には、次の無線フレームは、ＴＤＤ  ＵＬ／ＤＬ再構成が有効になる最初の無線フレームである。
【０２０４】
第２の実施形態
【０２０５】
第２の実施形態では、第１の実施形態と同様に、ＤＣＩとＰＵＳＣＨ間のタイミング関係を適合させて、有利なＴＤＤ  ＵＬ／ＤＬ再構成を行えるようにする。具体的には、本実施形態では、再構成が有効になった後の短い期間の間、ＤＣＩとＰＵＳＣＨ間のタイミング関係を適合させて、通信システム内のアップリンク帯域幅の利用を改善できるようにする。
【０２０６】
第２の実施形態でも、通信システム内の移動局と基地局の間の通信を想定する。通信は、ソースＴＤＤ構成からターゲットＴＤＤ構成に再構成される。この第２の実施形態を適用可能にするために、ソースＴＤＤ構成は、複数のＴＤＤ構成のうち事前定義された１つであり、ターゲットＴＤＤ構成は、それら複数のＴＤＤ構成のうちの任意の１つである。用語「再構成」は、本質的に、ソースＴＤＤ構成がターゲットＴＤＤ構成と異なることを定義することを強調しておく。
【０２０７】
有利な実現では、複数のＴＤＤ構成のうち中間の（すなわち事前定義された）ＴＤＤ構成はＴＤＤ構成０に対応し、複数のＴＤＤ構成はＴＤＤ構成０〜６に対応する。上記の有利な実現では、ＴＤＤ構成１〜６は、第２の実施形態のソースＴＤＤ構成として不都合であるように見えるが、それでも、適合されたＤＣＩとＰＵＳＣＨ間のタイミング関係は、ソースＴＤＤ構成がＴＤＤ構成１〜６の１つである第２の実施形態のＴＤＤ  ＵＬ／ＤＬ再構成に適用することができる。
【０２０８】
移動局と基地局との間の通信を再構成するために、それらの移動局および基地局を含む通信システム内で情報が配布される。この情報の配布により、移動局と基地局との間の通信が所定のサブフレームＮについて再構成され、サブフレームＮは無線フレームの先頭にある。
【０２０９】
例示的な一実装によると、再構成が有効になるサブフレームＮは、無線フレーム中の最初のサブフレームに対応する。しかしながら、別の例示的実装によると、サブフレームＮは、無線フレーム中の２番目、３番目、または４番目のサブフレームに対応してもよい。
【０２１０】
１つまたは複数のダウンリンク制御情報（ＤＣＩ）送信に応答して、それに対応する物理アップリンク共有チャネル（ＰＵＳＣＨ）送信が、本実施形態で定義されるＤＣＩとＰＵＳＣＨ間のタイミング関係に従って移動局によって行われる。具体的には、用語「ＤＣＩとＰＵＳＣＨ間のタイミング関係」は、１つまたは複数のＤＣＩ送信とそれに対応するＰＵＳＣＨ送信との間でＴＤＤ構成インデックスで定義されるタイミングオフセットを意味する。
【０２１１】
まず、サブフレームＮを含むサブフレームＮまでに移動局によって受信されるＤＣＩ送信に関係するＰＵＳＣＨ送信に、移動端末によってソースＴＤＤ構成が適用される。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、ソースＴＤＤ構成で定義されるタイミング関係を適用する。
【０２１２】
次いで、サブフレームＮ＋１以降に移動局に受信されるＤＣＩ送信に関係するＰＵＳＣＨ送信に、移動端末によってターゲットＴＤＤ構成が適用される。具体的には、移動局は、それらのサブフレーム中に受信されたそれぞれのＵＬグラントを伝える１つまたは複数のＤＣＩ送信に応答してスケジュールされる１つまたは複数のＰＵＳＣＨ送信には、ターゲットＴＤＤ構成で定義されるタイミング関係を適用する。
【０２１３】
ＴＤＤ  ＵＬ／ＤＬ再構成は、無線フレームの先頭にあるインデックスＮを持つサブフレームについて有効になるように設定されるので、Ｎが無線フレーム中の最後のサブフレームに対応する可能性はない。これに関して、１つの無線フレームで受信されたＤＣＩ送信に関係するＰＵＳＣＨ送信にソースＴＤＤ構成が適用され、別の（すなわち次の）サブフレームで受信されたＤＣＩ送信に関係するＰＵＳＣＨ送信にターゲットＴＤＤ構成が適用される可能性もない。
【０２１４】
言い換えれば、無線フレームの先頭にあるサブフレームＮを定義することにより、ソースＴＤＤ構成の適用とターゲットＴＤＤ構成の適用と間の切替えが無線フレームの境界にあたらないようにする。これが該当するのは、サブフレームＮ−１を含むサブフレームＮ−１までに受信されたＤＣＩ送信に関係するＰＵＳＣＨ送信にソースＴＤＤ構成を適用した場合だけである。
【０２１５】
具体的には、有利な実現では、サブフレームＮで受信されたＤＣＩ送信に関係するＰＵＳＣＨ送信にＴＤＤ構成０を適用することは、特に有利である。なぜなら、そのようにしなければ、サブフレーム２４へのＰＵＳＣＨ送信の割当てを保証することができないためである。図７から容易に理解できるように、ＴＤＤ構成０では、次の無線フレームの２つのサブフレームに関係するＵＬグラントを伝えるＴＤＤ送信が可能である。特に、ＴＤＤ構成０では、サブフレーム５および６におけるＤＣＩ送信で、サブフレーム（５＋７）＝１２および（６＋７）＝１３におけるそれぞれのＰＵＳＣＨ送信が可能となる。ただし、サブフレーム１４を、ＰＵＳＣＨ送信をサポートするように設定することも可能である。
【０２１６】
これに関して、ＴＤＤ構成０は、サブフレームＮ（例えば、サブフレーム０、１０、２０）で受信されたＤＣＩ送信に関係するＰＵＳＣＨ送信にも適用され、それにより、サブフレームＮ＋４（例えば、サブフレーム４、１４、２４）におけるＰＵＳＣＨ送信が可能になる。言い換えれば、サブフレームＮを含むサブフレームＮまでのサブフレームにおけるＤＣＩ送信のＤＣＩとＰＵＳＣＨ間のタイミング関係を決定する中間の（すなわち事前定義された）ＴＤＤ構成としてＴＤＤ構成０が利用される場合には、次の無線フレームの前半のすべてのサブフレームをＰＵＳＣＨ送信のために割り当てることができる。
【０２１７】
図１２に示す例を参照すると、ＴＤＤ構成０を適用して、サブフレーム２０について、ＤＣＩとＰＵＳＣＨの間のタイミング関係を決定する（図１２のサブフレームを参照されたい）。具体的には、サブフレーム２０で受信されたＤＣＩサブフレームに関係するＰＵＳＣＨ送信にはＴＤＤ構成０を適用する。したがって、ＴＤＤ構成０は、ＴＤＤ  ＵＬ／ＤＬ再構成が有効になった後にサブフレーム２４で実行すべきＰＵＳＣＨ送信を規定する（図１２の鎖線の矢印を参照されたい）。
【０２１８】
一般に、第１および第２の実施形態では、複数のＴＤＤ構成それぞれが、前記１つまたは複数のＤＣＩ送信と、それに対応するＰＵＳＣＨ送信との間のタイミングオフセットを決定する。１つまたは複数のＤＣＩ送信とそれに対応するＰＵＳＣＨ送信との間のこのタイミングオフセットは、この説明を通じて「ＤＣＩとＰＵＳＣＨ間のタイミング関係」とも称される。
【０２１９】
さらに、第１および第２の実施形態では、ソースＴＤＤ構成は、サブフレームＮ−１を含むサブフレームＮ−１まで、サブフレームがダウンリンク送信のために予約されているか、もしくはアップリンク送信のために予約されているかを指定するか、またはダウンリンク送信とアップリンク送信の両方をサポートする特殊サブフレームを示し、ターゲットＴＤＤ構成は、サブフレームＮ以降について、サブフレームがダウンリンク送信のために予約されているか、もしくはアップリンク送信のために予約されているかを指定するか、またはダウンリンク送信とアップリンク送信の両方をサポートする特殊サブフレームを示す。これに関して、ＴＤＤ無線フレーム構成の再構成は、指示されたサブフレームＮを含むサブフレームＮについて有効になる。
【０２２０】
第３の実施形態
【０２２１】
本発明の第３の実施形態に関連して、さまざまな実施形態は、ＴＤＤ  ＵＬ／ＤＬ再構成のために、ＤＣＩとＰＵＳＣＨの間および／またはＰＤＳＣＨとＨＡＲＱ−ＡＣＫの間に関係するタイミング関係を、ＴＤＤ無線フレーム構成とは異なる形で適用するという概念に基づくことを再度強調しておく。このＴＤＤ無線フレーム構成とタイミング関係との間の区別は、再構成が有効になる前および／または有効になった後の短い期間だけ行う。
【０２２２】
第３の実施形態によると、ＰＤＳＣＨとＨＡＲＱ−ＡＣＫの間のタイミング関係を適合させて、有利なＴＤＤ  ＵＬ／ＤＬ再構成を可能にする。具体的には、本実施形態では、再構成が有効になった後の短い期間の間、ＰＤＳＣＨとＨＡＲＱ−ＡＣＫの間のタイミング関係を適合させて、ハイブリッドＡＲＱ機能を常時利用できるようにする。
【０２２３】
第３の実施形態による例示的なＴＤＤ  ＵＬ／ＤＬ再構成動作を図１１Ｂに示し、同図は、ＴＤＤ無線フレーム構成と、ＰＤＳＣＨとＨＡＲＱ−ＡＣＫの間のタイミング関係とを区別することの利益を強調している。図１１Ｂに示すＴＤＤ  ＵＬ／ＤＬ再構成動作は、図９Ｂに示す例に基づいている。図１１Ｂの例も同じようにＴＤＤ構成３からＴＤＤ構成６へのＴＤＤ  ＵＬ／ＤＬ再構成を想定している。再構成はサブフレーム２０で有効になり、サブフレーム２０は無線フレームの最初のサブフレームである。
【０２２４】
第３の実施形態は、通信システム内の移動局と基地局との間の通信を想定する。通信は、ソースＴＤＤ構成からターゲットＴＤＤ構成に再構成される。ソースＴＤＤ構成およびターゲットＴＤＤ構成は、複数のＴＤＤ構成のうちの任意のＴＤＤ構成である。用語「再構成」は、本質的に、ソースＴＤＤ構成がターゲットＴＤＤ構成と異なることを定義することを強調しておく。
【０２２５】
有利な実現では、ソースＴＤＤ構成はＴＤＤ構成０〜６の１つに対応し、ターゲットＴＤＤ構成はＴＤＤ構成０〜６のうち別の１つに対応する。
【０２２６】
移動局と基地局との間の通信を再構成するために、それらの移動局および基地局を含む通信システム内で情報が配布される。この情報の配布により、移動局と基地局との間の通信が所定のサブフレームＮについて再構成され、サブフレームＮは無線フレームの先頭にある。
【０２２７】
例示的な一実装によると、再構成が有効になるサブフレームＮは、無線フレーム中の最初のサブフレームに対応する。しかしながら、別の例示的実装によると、サブフレームＮは、無線フレーム中の２番目、３番目、または４番目のサブフレームに対応してもよい。
【０２２８】
１つまたは複数の物理ダウンリンク共有チャネル（ＰＤＳＣＨ）送信に応答して、それに関係するハイブリッドＡＲＱ−ＡＣＫｎｏｗｌｅｄｇｅｍｅｎｔ（ＨＡＲＱ−ＡＣＫ）送信が、本実施形態で定義されるＰＤＳＣＨとＨＡＲＱ−ＡＣＫ間のタイミング関係に従って移動局によって行われる。具体的には、用語「ＰＤＳＣＨとＨＡＲＱ−ＡＣＫ間のタイミング関係」は、１つまたは複数のＰＤＳＣＨ送信とそれに対応するＨＡＲＱ−ＡＣＫ送信との間でＴＤＤ構成によって定義されるタイミングオフセットを意味する。
【０２２９】
まず、サブフレームＮ−１を含むサブフレームＮ−１までのハイブリッドＡＲＱ−ＡＣＫ送信には、移動局によってソースＴＤＤ構成が適用される。したがって、移動局は、サブフレームＮ−１を含むサブフレームＮ−１までの各サブフレームについて、１つまたは複数のＨＡＲＱ−ＡＣＫ送信を実行しなければならないか否かを、ソースＴＤＤ構成に基づいて判定する。具体的には、移動局は、前に行われた１つまたは複数のＰＤＳＣＨ送信（行われた場合）のどれに対して、ソースＴＤＤ構成がそれぞれのサブフレームにおけるＨＡＲＱ−ＡＣＫ送信を示しているかを判定する。
【０２３０】
次いで、サブフレームＮを含むサブフレームＮからサブフレームＮ＋１２を含むサブフレームＮ＋１２までの間のハイブリッドＡＲＱ−ＡＣＫ送信には、移動局によって別の中間の（すなわち事前定義された）ＴＤＤ構成が適用される。したがって、移動局は、サブフレームＮ〜Ｎ＋１２の間の各サブフレームについて、１つまたは複数のＨＡＲＱ−ＡＣＫ送信を実行しなければならないか否かを、別の中間の（すなわち事前定義された）ＴＤＤ構成に基づいて判定する。具体的には、移動局は、前に行われた１つまたは複数のＰＤＳＣＨ送信（すなわちＰＤＳＣＨ送信がある場合）のどれに対して、別の中間の（すなわち事前定義された）ＴＤＤ構成が、それぞれのサブフレームにおけるＨＡＲＱ−ＡＣＫ送信を示しているかを判定する。
【０２３１】
最後に、サブフレームＮ＋１３以降のハイブリッドＡＲＱ−ＡＣＫ送信に、移動局によってターゲットＴＤＤ構成が適用される。したがって、移動局は、サブフレームＮ＋１３以降の各サブフレームについて、１つまたは複数のＨＡＲＱ−ＡＣＫ送信を実行しなければならないか否かを、ターゲットＴＤＤ構成に基づいて判定する。具体的には、移動局は、前に行われた１つまたは複数のＰＤＳＣＨ送信（すなわちＰＤＳＣＨ送信がある場合）のどれに対して、ターゲットＴＤＤ構成が、それぞれのサブフレームにおけるＨＡＲＱ−ＡＣＫ送信を示しているかを判定する。
【０２３２】
有利な実装によると、サブフレームＮ〜Ｎ＋１３の間のＨＡＲＱ−ＡＣＫ送信に適用される別の中間の（すなわち事前定義された）ＴＤＤ構成は、ターゲットＴＤＤ構成とは異なる。これに関して、通信システムは、ＰＤＳＣＨとＨＡＲＱ−ＡＣＫ間のタイミング関係を規定する中間の（すなわち事前定義された）ＴＤＤ構成としてのＴＤＤ構成を適用することができるようになり、それにより、ソースＴＤＤ構成からターゲットＴＤＤ構成に遷移する間にハイブリッドＡＲＱ機能を常時利用できるようになる。
【０２３３】
第３の実施形態の有利な実装によると、別の中間の（すなわち事前定義された）ＴＤＤ構成は、図６に定義されるようにＴＤＤ構成５である。このＴＤＤ構成５では、先行する２つの無線フレームで移動端末に受信されたＰＤＳＣＨ送信に関係するＨＡＲＱ−ＡＣＫ送信が可能である。具体的には、ＴＤＤ構成５では、サブフレーム２で、それぞれ１３、１２、９、８、７、５、４、１１、および６サブフレーム前に移動端末に受信されたＰＤＳＣＨ送信に関係する９つのＨＡＲＱ−ＡＣＫ送信を組み合わせることができる。
【０２３４】
図１１Ｂに示す例を参照すると、ＴＤＤ構成５を適用して、サブフレーム２０〜３２の間のＨＡＲＱ送信について、ＰＤＳＣＨとＨＡＲＱ−ＡＣＫ間のタイミング関係を決定する（図１１Ｂの網掛けしたサブフレームを参照されたい）。具体的には、サブフレーム２２および３２におけるＨＡＲＱ−ＡＣＫ送信にＴＤＤ構成５を適用して、ＴＤＤ構成５が、ＴＤＤ  ＵＬ／ＤＬ再構成が有効になった後にＨＡＲＱ−ＡＣＫ送信が関係するＰＤＳＣＨ送信を規定するようにする（図１１Ｂの鎖線の矢印を参照されたい）。
【０２３５】
これに関して、第３の実施形態では、再構成が有効になる前の短い期間中に、ＰＤＳＣＨとＨＡＲＱ−ＡＣＫ間のタイミング関係、すなわち、別の中間の（すなわち事前定義された）ＴＤＤ構成に対応するタイミング関係を適合させることができる。それにより、ＨＡＲＱ−ＡＣＫが送信されるＰＤＳＣＨサブフレームを回避することができ、ハイブリッドＡＲＱ機能を常時利用できるようになる。
【０２３６】
第１の実装
【０２３７】
第３の実施形態の第１の実装によると、他の中間の（すなわち事前定義された）ＴＤＤ構成は、もはや通信システムの静的な構成とはみなされない。代わりに、サブフレームＮ〜Ｎ＋１２の間ＨＡＲＱ−ＡＣＫ送信に適用される他の中間の（すなわち事前定義された）ＴＤＤ構成が、通信システム内でシグナリングされる。
【０２３８】
具体的には、複数のＴＤＤ構成のうち別の中間の（すなわち事前定義された）ＴＤＤ構成に対応するＴＤＤ構成を示す情報が通信システム内で配布される。他の中間の（すなわち事前定義された）ＴＤＤ構成を示すこの情報を移動端末が受信すると、移動端末は、その他の中間の（すなわち事前定義された）ＴＤＤ構成を、その後のＴＤＤ  ＵＬ／ＤＬ再構成、すなわちサブフレームＮ〜Ｎ＋１２の間に適用し、ここで、サブフレームＮは、再構成がそれ以降有効になるサブフレームを示す。
【０２３９】
任意で、他の中間の（すなわち事前定義された）ＴＤＤ構成を示す情報は、通信システム内の通信が再構成される始点となるサブフレームを示す情報と組み合わせてもよい。
【０２４０】
第２の実装
【０２４１】
第３の実施形態の第２の実装では、１つのＰＤＳＣＨ送信に対する複数のＨＡＲＱ−ＡＣＫ送信の効果を詳細に検討する。図１１Ｂに例示的に示すように、サブフレーム９および１０におけるＰＤＳＣＨ送信については、ソースＴＤＤ構成（すなわちＴＤＤ構成３）の適用に応答してＨＡＲＱ−ＡＣＫ送信が実施され、その後のＨＡＲＱ−ＡＣＫ送信は、他の中間の（すなわち事前定義された）ＴＤＤ構成の適用に応答して実施される。
【０２４２】
具体的には、１つのＰＤＳＣＨ送信の結果複数のＨＡＲＱ−ＡＣＫ送信が行われ、その場合、移動端末は、ソースＴＤＤ構成が、サブフレームＮ−１を含むサブフレームＮ−１までのＰＤＳＣＨ送信に関係するＨＡＲＱ−ＡＣＫ送信を規定し、他の中間の（すなわち事前定義された）ＴＤＤ構成が、同じＰＤＳＣＨ送信に関係するサブフレームＮ〜Ｎ＋１２の間のＨＡＲＱ−ＡＣＫ送信を規定すると判定する。
【０２４３】
第２の実装によると、移動局は、１つのＰＤＳＣＨ送信に対して、複数行われる可能性のあるＨＡＲＱ−ＡＣＫ送信のどれを実行すべきかを追加的に判定する。より詳細には、１つのＰＤＳＣＨ送信に応答して、ソースＴＤＤ構成の適用が、そのＰＤＳＣＨ送信に関係するサブフレームＮ−１を含むサブフレームＮ−１までのＨＡＲＱ−ＡＣＫ送信を規定し、他の中間の（すなわち事前定義された）ＴＤＤ構成の適用が、そのＰＤＳＣＨ送信に関係するサブフレームＮ〜Ｎ＋１２の間のＨＡＲＱ−ＡＣＫ送信を規定する場合、移動ノードは、サブフレームＮ−１を含むサブフレームＮ−１までのＨＡＲＱ−ＡＣＫ送信のみを行うか、あるいは、移動ノードは、サブフレームＮ〜Ｎ＋１２の間のＨＡＲＱ−ＡＣＫ送信のみを行う。
【０２４４】
具体的には、移動端末が、サブフレームＮ−１を含むサブフレームＮ−１までのＨＡＲＱ−ＡＣＫ送信だけを行うと、ＨＡＲＱ−ＡＣＫフィードバックに関する遅延を小さく抑えることができる。さらに、サブフレームＮ〜Ｎ＋１２の間のＨＡＲＱ−ＡＣＫ送信の結果生じるペイロードを減らすことができる。
【０２４５】
第２の実装の有利なバリエーションによると、１つのＰＤＳＣＨ送信に対して複数のＨＡＲＱ−ＡＣＫ送信が行われる場合、移動局は、サブフレームＮ−１を含むサブフレームＮ−１まではＨＡＲＱ−ＡＣＫ送信を行い、追加的に、サブフレームＮ〜Ｎ＋１２の間に、事前定義された情報、例えば不連続送信（ＤＴＸ）情報を含むＨＡＲＱ−ＡＣＫ送信を行うことになる。
【０２４６】
より詳細には、１つのＰＤＳＣＨ送信に応答して、ソースＴＤＤ構成の適用が、そのＰＤＳＣＨ送信に関係するサブフレームＮ−１を含むサブフレームＮ−１までのＨＡＲＱ−ＡＣＫ送信を規定し、他の中間の（すなわち事前定義された）ＴＤＤ構成の適用が、そのＰＤＳＣＨ送信に関係するサブフレームＮ〜Ｎ＋１２の間のＨＡＲＱ−ＡＣＫ送信を規定する場合、移動ノードは、サブフレームＮ−１を含むサブフレームＮ−１までのＨＡＲＱ−ＡＣＫ送信を行い、サブフレームＮ〜Ｎ＋１２の間はＤＴＸ情報を含むＨＡＲＱ−ＡＣＫ送信を行う。
【０２４７】
第３の実装
【０２４８】
第３の実施形態の第３の実装は、他の中間の（すなわち事前定義された）ＴＤＤ構成で規定されるＨＡＲＱ−ＡＣＫ送信に着目するが、このＨＡＲＱ−ＡＣＫ送信は、ＰＤＳＣＨ送信のために一度も予約されたことがない先行サブフレームに関係する。
【０２４９】
第３の実施形態に関してすでに詳細に説明したように、他の中間の（すなわち事前定義された）ＴＤＤ構成を適用して、前に行われたＰＤＳＣＨ送信のうちどれに対して、サブフレームＮ〜Ｎ＋１２の間にＨＡＲＱ−ＡＣＫ送信を行うべきかを判定する。これは、サブフレームＮ−１を含むサブフレームＮ−１までについてソースＴＤＤ構成で指定されるＴＤＤ無線フレーム構成、および、サブフレームＮ以降についてターゲットＴＤＤ構成で指定されるＴＤＤ無線フレーム構成とは個別に行われる。
【０２５０】
言い換えれば、他の中間の（すなわち事前定義された）ＴＤＤ構成は、異なるＴＤＤ無線フレーム構成を反映し、ソースＴＤＤ構成で実際に予約しているサブフレームとは異なる（すなわちより多くの）ＰＤＳＣＨ送信用のサブフレームを指示する。
【０２５１】
第３の実装によると、アップリンク送信のみをサポートするように設定された少なくとも１つのサブフレームについて、他の中間の（すなわち事前定義された）ＴＤＤ構成の適用がサブフレームＮ〜Ｎ＋１２の間のハイブリッドＡＲＱ−ＡＣＫ送信を規定する場合、移動ノードは、サブフレームＮ〜Ｎ＋１２の間は、ダウンリンク送信をサポートするように設定されたサブフレームだけに関係するハイブリッドＡＲＱ−ＡＣＫ送信を行うか、あるいは、移動端末は、事前定義された情報を含むハイブリッドＡＲＱ−ＡＣＫ送信を行う。
【０２５２】
有利には、事前定義された情報は、前記少なくとも１つのサブフレームがアップリンク送信のみをサポートし、ＰＤＳＣＨ送信には関係しないことを示すことができる。
【０２５３】
さらなる実装
【０２５４】
上述の実施形態のいずれでも、移動局と基地局の間の通信を、通信システム内の再構成を知らせる情報の配布に基づいて、サブフレームＮについて再構成することができる。
【０２５５】
その情報の配布により、移動局と基地局の間の通信が所定のサブフレームＮについて再構成され、サブフレームＮは無線フレームの先頭にある。
【０２５６】
これに関して、移動局と基地局の間の通信を再構成することを知らせる情報を移動端末が受信した場合、移動端末は、ＤＣＩとＰＵＳＣＨの間および／またはＰＤＳＣＨとＨＡＲＱ−ＡＣＫの間に関係するタイミング関係を、ＴＤＤ無線フレーム構成とは異なる形で（すなわち個別に）適用することにより、それぞれのＴＤＤ  ＵＬ／ＤＬ再構成を行う。
【０２５７】
有利には、再構成を知らせる情報は、サブフレームＮ−１４からサブフレームＮ−５まで（サブフレームＮ−１４およびサブフレームＮ−５を含む）の間隔内に配布された場合にのみ、移動局および／または基地局によって考慮され、サブフレームＮは再構成が有効になる時を示す。移動局が誤って再構成を検出し、適用する危険性を低減するために、再構成を知らせる情報が上記間隔中に複数回、例えば２回検出された場合のみ、さらには指示される再構成がそれら複数回で同じである場合にのみ、ＵＥが再構成を適用するとさらに有利である。例えば、１つの再構成情報を誤って検出する確率が１％である場合には、１つの再構成情報を二度誤って検出する確率は０.０１％になる。これらの手法は、再構成が、明示的なメッセージ、すなわち少なくともターゲット構成を情報として含んでいる信号で知らされる場合に特に有益である。
【０２５８】
再構成をより暗黙的に判定する代替法は、ソースＵＬ／ＤＬ構成（またはＳＩＢ１で示されるＵＬ／ＤＬ構成）によるアップリンクサブフレームのタイミングに従ったＰＵＳＣＨのためのアップリンク送信またはアップリンクのリソース割当てが存在しない（または欠如している）ことを調べるものである。例えば、図５および図７を参照して、次の表に、サブフレームｊについてのＰＵＳＣＨ割当ての欠如がどのようにソースＴＤＤ構成に応じたターゲットＴＤＤ構成への再構成を示すことができるかの好ましい実施形態を示す。高度な方法では、無線フレームの最初のサブフレームｊについてのＰＵＳＣＨ割当てが欠如していることのみで、再構成を判断する。例えば、ソース構成が０で、無線フレームのサブフレーム３についてＰＵＳＣＨの割当てが検出されない場合には、ターゲット構成は構成２と判定される。同じ無線フレームのサブフレーム４についてＰＵＳＣＨ割当てがさらに欠如していても、ターゲット構成がさらに変更されることはない。
【０２５９】
【表４】
2018125861.tif 000006
【０２６０】
第４の実施形態
【０２６１】
第４の実施形態によると、本発明の概念を、送信電力制御（ＴＰＣ）コマンドのシグナリングにも適用する。ＴＰＣコマンドは、移動局で使用すべき送信電力を指示するために通信システム内で配布される。したがって、ＴＰＣコマンドを受信すると、移動局は、そのコマンドで送信された値を将来のアップリンク送信に考慮する。
【０２６２】
３ＧＰＰ  ＬＴＥでは、ＴＰＣコマンドは、移動端末によって実行される送信電力の差分電力変化量のみを示すように指定される。例えば、ＴＰＣコマンドは、コマンドに含められた値だけ送信電力を上げる、またはコマンドに含められた別の値だけ送信電力を下げることを移動端末に指示することができる。これに関して、ＴＰＣコマンドを連続的にシグナリングすると、移動端末によって実行される電力調整の柔軟性が向上する。
【０２６３】
ＴＰＣコマンドは、移動端末によって実行されるアップリンク送信に関係なく送ることができることに留意することが重要である。言い換えれば、移動端末は、受信したＴＰＣコマンドに基づいて、実際のアップリンク送信の前に、各サブフレームの送信電力の算出を行う。したがって、恒常的に、１つまたは複数のＴＰＣコマンドが受信され、送信電力が移動端末によってサブフレームごとに評価される。
【０２６４】
それでも、所与のアップリンク送信に適用可能なＴＰＣコマンドは、上記でＤＣＩとＰＵＳＣＨ間および／またはＰＤＳＣＨとＨＡＲＱ−ＡＣＫ間として論じたものに対応するあらかじめ設定されたタイミング関係に基づいてのみ送信することができる。具体的には、ＰＵＳＣＨのＴＰＣコマンドと、ＰＵＣＣＨのＴＰＣコマンドとが区別される。
【０２６５】
ＰＵＳＣＨのＴＰＣコマンドは、ＵＬグラントを伝えるＤＣＩ送信か、または送信電力制御（ＴＰＣ）コマンドのＤＣＩ送信に含められる。ＰＵＳＣＨのＴＰＣコマンドを含むＤＣＩ送信は、フォーマット０／４またはフォーマット３／３Ａであり、第１および第２の実施形態に関連して論じたＰＵＳＣＨ送信に関係するＤＣＩ送信に対応する。それでも、ＰＵＳＣＨのＴＰＣコマンドは、ＤＣＩフォーマット３や３Ａなどにより、ＰＵＳＣＨをスケジューリングしないＤＣＩ送信を介してＰＵＳＣＨ電力制御の一部として受信および処理することもできるため、異なるタイミング関係が定義される。
【０２６６】
特に、参照によって本明細書に組み込まれている非特許文献５の５.１.１.１節「UE behaviour」で定義される表５.１.１.１−１は、ＰＵＳＣＨ電力制御の一部としての、ＰＵＳＣＨのＴＰＣコマンドの送信とその処理との間のタイミング関係を定義している。具体的には、このＴＰＣとＰＵＳＣＨの間のタイミング関係は、逆のサブフレーム方向で表５.１.１.１−１に指定されている。詳細には、サブフレームｉで行われるＰＵＳＣＨ電力制御については、移動端末は、サブフレームｉ−ｋを含むサブフレームｉ−ｋまでのＰＵＳＣＨ送信に対応する以前のＴＰＣコマンドを参照する。言い換えれば、表５.１.１.１−１で示されるサブフレーム番号ｉには、ＰＵＳＣＨ電力制御が実行される番号ｉのサブフレームよりもｋサブフレーム前に受信されたＰＵＳＣＨ送信に対応するＴＰＣコマンド。
【０２６７】
ＴＤＤ  ＵＬ／ＤＬ再構成時に、移動端末における継続的なＰＵＳＣＨ電力制御を可能にするために、上記実施形態と同じ考察が下記のメカニズムで反映され、このメカニズムは、移動端末と基地局の間の通信を再構成する場合に個別に行うか、または上記実施形態のいずれかと組み合わせることができる。
【０２６８】
１つのバリエーションによると、通信システム内で移動局が基地局と通信することが想定される。通信は、ソースＴＤＤ構成からターゲットＴＤＤ構成に再構成される。さらに、ソースＴＤＤ構成は、複数のＴＤＤ構成のサブセットの１つであり、ターゲットＴＤＤ構成は、それら複数のＴＤＤ構成のうちの任意の１つである。複数のＴＤＤ構成は、時分割複信（ＴＤＤ）通信のためにあらかじめ設定されている。無線フレームの先頭にある所定のサブフレームＮについて通信を再構成する場合、移動局は、以下の方式に従って、ＰＵＳＣＨ送信のＴＰＣコマンドに応じてＰＵＳＣＨ電力制御を行う。
【０２６９】
まず、サブフレームＮ−６を含むサブフレームＮ−６までに受信されたＰＵＳＣＨ送信に対応するＴＰＣコマンドに関係するサブフレームについてＰＵＳＣＨ電力制御を行うために、ソースＴＤＤ構成を適用する。次いで、サブフレームＮ−５〜Ｎ−１の間に受信されたＰＵＳＣＨ送信に対応するＴＰＣコマンドに関係するサブフレームについてＰＵＳＣＨ電力制御を行うために、中間の（すなわち事前定義された）ＴＤＤ構成を適用する。最後に、サブフレームＮ以降に受信されたＰＵＳＣＨ送信に対応するＴＰＣコマンドに関係するサブフレームについてＰＵＳＣＨ電力制御を行うために、ターゲットＴＤＤ構成を適用する。中間の（すなわち事前定義された）ＴＤＤ構成は、上記複数のＴＤＤ構成のうちの１つである。有利には、中間の（すなわち事前定義された）ＴＤＤ構成はソースＴＤＤ構成とは異なり、好ましくはＴＤＤ構成６である。
【０２７０】
別のバリエーションによると、ここでも通信システム内で移動局が基地局と通信することが想定される。通信は、ソースＴＤＤ構成からターゲットＴＤＤ構成に再構成される。さらに、ソースＴＤＤ構成は、複数のＴＤＤ構成のうち事前定義された１つであり、ターゲットＴＤＤ構成は、それら複数のＴＤＤ構成のうちの任意の１つである。複数のＴＤＤ構成は、時分割複信（ＴＤＤ）通信のためにあらかじめ設定されている。
【０２７１】
無線フレームの先頭にある所定のサブフレームＮについて通信を再構成する場合、移動局は、以下の方式に従って、ＰＵＳＣＨ送信のＴＰＣコマンドに応じてＰＵＳＣＨ電力制御を行う。
【０２７２】
まず、サブフレームＮを含むサブフレームＮまでに受信されたＰＵＳＣＨ送信に対応するＴＰＣコマンドに関係するサブフレームについてＰＵＳＣＨ電力制御を行うためにソースＴＤＤ構成を適用する。次いで、サブフレームＮ＋１以降に受信されたＰＵＳＣＨ送信に対応するＴＰＣコマンドに関係するサブフレームについてＰＵＳＣＨ電力制御を行うためにターゲットＴＤＤ構成を適用する。有利には、ソースＴＤＤ構成はＴＤＤ構成０である。
【０２７３】
さらなるバリエーションによると、ここでも通信システム内で移動局が基地局と通信することが想定される。通信は、ソースＴＤＤ構成からターゲットＴＤＤ構成に再構成される。さらに、ソースおよびターゲットＴＤＤ構成は、複数のＴＤＤ構成のうちの任意のＴＤＤ構成である。複数のＴＤＤ構成は、時分割複信（ＴＤＤ）通信のためにあらかじめ設定されている。
【０２７４】
無線フレームの先頭にある所定のサブフレームＮについて通信を再構成する場合、移動局は、以下の方式に従って、ＰＵＳＣＨ送信のＴＰＣコマンドに応じてＰＵＳＣＨ送信の電力制御調整を行う。
【０２７５】
まず、サブフレームＮを含むサブフレームＮまでに受信されたＰＵＳＣＨ送信に対応するＴＰＣコマンドに関係するサブフレームについてＰＵＳＣＨ電力制御を行うためにソースＴＤＤ構成を適用する。次いで、サブフレームＮ＋１以降に受信されたＰＵＳＣＨ送信に対応するＴＰＣコマンドに関係するサブフレームについてＰＵＳＣＨ電力制御を行うためにターゲットＴＤＤ構成を適用する。有利には、ソースＴＤＤ構成はＴＤＤ構成０である。
【０２７６】
まず、サブフレームＮ＋１を含むサブフレームＮ＋１までのサブフレームにおけるＰＵＳＣＨ送信についての電力制御調整を行うために、ソースＴＤＤ構成を適用して、どのサブフレームにそれに対応するＴＰＣコマンドが含まれているかを判定する。次いで、サブフレームＮ＋２〜Ｎ＋４におけるＰＵＳＣＨ送信についての電力制御調整を行うために、中間の（すなわち事前定義された）ＴＤＤ構成を適用して、どのサブフレームにそれに対応するＴＰＣコマンドが含まれているかを判定する。最後に、サブフレームＮ＋５以降におけるＰＵＳＣＨ送信についての電力制御調整を行うために、ターゲットＴＤＤ構成を適用して、どのサブフレームにそれに対応するＴＰＣコマンドが含まれているかを判定する。あるいは、ソースＴＤＤ構成が適用される最後のサブフレームはＮ−１またはＮであってもよく、中間の（すなわち事前定義された）ＴＤＤ構成が適用される最初のサブフレームはそれぞれＮまたはＮ＋１であってもよい。中間の（すなわち事前定義された）ＴＤＤ構成は、上記複数のＴＤＤ構成のうちの１つである。有利には、中間の（すなわち事前定義された）ＴＤＤ構成はソースＴＤＤ構成とは異なり、好ましくはＴＤＤ構成６である。
【０２７７】
ＰＵＣＣＨのＴＰＣコマンドは、ＰＤＳＣＨ割当てのためのＤＣＩ送信、または送信電力制御（ＴＰＣ）コマンドのＤＣＩ送信に含められる。ＰＵＣＣＨのＴＰＣコマンドを含むＤＣＩ送信は、フォーマット１Ａ／１Ｂ／１Ｄ／１／２Ａ／２／２Ｂ／２Ｃ／２Ｄであり、第３の実施形態の関連で論じたＰＤＳＣＨ送信に関係するＤＣＩ送信に対応する。それでも、ＰＵＣＣＨのＴＰＣコマンドは、ＰＵＣＣＨをスケジューリングしないＤＣＩ送信を介してＰＵＣＣＨ電力制御の一部として受信および処理することもできるため、異なるタイミング関係が定義される。
【０２７８】
特に、非特許文献５の１０.１.３.１節「TDD HARQ-ACK procedure for one configured serving cell」の表１０.１.３.１−１を参照する、非特許文献５（参照によって本明細書に組み込まれている）の５.１.２.１節「UE behaviour」で、ＰＵＣＣＨ電力制御の一部としてのＰＵＣＣＨのＴＰＣコマンドの送信とその処理との間のタイミング関係として、ＰＵＣＣＨのタイミング関係が定義されている。具体的には、ＴＰＣとＰＵＣＣＨの間のタイミング関係は、ＰＤＳＣＨとＨＡＲＱ−ＡＣＫの間のタイミング関係に対応するように指定される。このタイミング関係間の対応は、ＰＵＣＣＨのＴＰＣコマンドを含んでいるＤＣＩ送信は、ＨＡＲＱ−ＡＣＫ送信が関係するＰＤＳＣＨ送信と同じサブフレームで実施されることから生じる。
【０２７９】
これに関して、ＴＤＤ  ＵＬ／ＤＬ再構成時に、移動端末における継続的なＰＵＣＣＨ電力制御を可能にするために、上記実施形態と同じ考察が下記のメカニズムで反映され、このメカニズムは、移動端末と基地局の間の通信を再構成する場合に個別に行うか、または上記実施形態のいずれかと組み合わせることができる。
【０２８０】
さらに別のバリエーションによると、通信システム内で移動局が基地局と通信することが想定される。通信は、ソースＴＤＤ構成からターゲットＴＤＤ構成に再構成される。
【０２８１】
さらに、ソースＴＤＤ構成は、複数のＴＤＤ構成のうち事前定義された１つであり、ターゲットＴＤＤ構成は、それら複数のＴＤＤ構成のうちの任意の１つである。複数のＴＤＤ構成は、時分割複信（ＴＤＤ）通信のためにあらかじめ設定されている。
【０２８２】
無線フレームの先頭にある所定のサブフレームＮについて通信を再構成する場合、移動局は、以下の方式に従って、ＰＵＣＣＨ送信のための１つまたは複数のＴＰＣコマンドに応じてＰＵＣＣＨ電力制御を行う。
【０２８３】
まず、サブフレームＮ−１を含むサブフレームＮ−１までにＰＵＣＣＨ電力制御を行うためにソースＴＤＤ構成を適用する。サブフレームＮ〜Ｎ＋１２の間のＰＵＣＣＨ電力制御を行うために、別の中間の（すなわち事前定義された）ＴＤＤ構成を適用する。最後に、サブフレームＮ＋１３以降のＰＵＣＣＨ電力制御を行うためにターゲットＴＤＤ構成を適用する。ここで、他の中間の（すなわち事前定義された）ＴＤＤ構成は、上記複数のＴＤＤ構成のうちの１つである。有利には、中間の（すなわち事前定義された）ＴＤＤ構成はターゲットＴＤＤ構成とは異なり、好ましくはＴＤＤ構成５である。
【０２８４】
本発明のハードウェアおよびソフトウェア実装
【０２８５】
本発明の他の実施形態は、ハードウェアおよびソフトウェアを用いて、上記したさまざまな実施形態を実施することに関する。これに関連して、本発明は、ユーザ機器（移動局）およびｅＮｏｄｅＢ（基地局）を提供する。ユーザ機器は、本発明の方法を実行するようにされている。
【０２８６】
本発明のさまざまな実施形態は、コンピューティングデバイス（プロセッサ）を使用して実施または実行され得るものとさらに認識される。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、または、その他プログラマブルロジックデバイスなどである。本発明のさまざまな実施形態は、これらのデバイスの組合せによっても実行または具体化され得る。
【０２８７】
さらに、本発明のさまざまな実施形態は、ソフトウェアモジュールによっても実施され得る。これらのソフトウェアモジュールは、プロセッサによって実行され、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納され得る。
【０２８８】
さらには、本発明の複数の異なる実施形態の個々の特徴は、個々に、または任意の組合せにおいて、別の本発明の主題とすることができることに留意されたい。
【０２８９】
具体的な実施形態に示した本発明には、広義に記載されている本発明の概念または範囲から逸脱することなく、さまざまな変更もしくは修正またはその両方を行うことができることが、当業者には理解されるであろう。したがって、本明細書に示した実施形態は、あらゆる点において例示的であり、本発明を制限するものではないものとみなされる。
【図１】
2018125861.tif 000007
【図２】
2018125861.tif 000008
【図３】
2018125861.tif 000009
【図４】
2018125861.tif 000010
【図５】
2018125861.tif 000011
【図６】
2018125861.tif 000012
【図７】
2018125861.tif 000013
【図８】
2018125861.tif 000014
【図９】
2018125861.tif 000015
【図１０】
2018125861.tif 000016
【図１１】
2018125861.tif 000017
【図１２】
2018125861.tif 000018